(57)【要約】  車両バッテリ充電システムの車両接続装置（１４）は、接触エリア（８０）を備える台座（７８）を有する車両接点ユニット（６４）を備え、この接触エリアには第一の接点電極（８４）、第二の接点電極（８８）及び第三の接点電極（９２）が備えられている。当該車両接点ユニット（６４）は、床接点ユニット（１２）に向かう接触方向（ＲＫ）に移動可能であり、及び、当該車両接続装置（１４）の整列アクチュエータ（６０）は、前記台座（７８）を実質的に当該接触方向（ＲＫ）に延びる回転軸（Ｄ）の周りを回転させ得るように、当該台座（７８）と接続されている。さらに、床接点ユニット（１２）、自動化された車両連結システム（１５）、並びに、車両接点ユニット（６４）を床接点ユニット（１２）に自動的に導電接続する方法、が示されている。
2020533936.tif 000002
【特許請求の範囲】
【請求項１】
車両接点ユニット（６４）を床接点ユニット（１２）に自動的に導電接続するための、車両バッテリ充電システムのための車両接続装置であって、
接触エリア（８０）を備える台座（７８）を有する前記車両接点ユニット（６４）を備え、
該接触エリアには少なくとも一つの第一の接点電極（８４）、少なくとも一つの第二の接点電極（８８）及び少なくとも一つの第三の接点電極（９２）が備えられており、
その際、前記車両接点ユニット（６４）は、前記少なくとも一つの第一の接点電極（８４）、前記少なくとも一つの第二の接点電極（８８）及び前記少なくとも一つの第三の接点電極（９２）を前記床接点ユニット（１２）と接触させるために、前記床接点ユニット（１２）に向かう接触方向（ＲＫ）へ移動可能であり、及び、
整列アクチュエータ（６０）を備え、該整列アクチュエータは、前記台座（７８）を実質的に前記接触方向（ＲＫ）に延びる回転軸（Ｄ）の周りに回転させ得るように、前記台座（７８）と接続されている、車両接続装置。
【請求項２】
前記少なくとも一つの第一の接点電極（８４）は少なくとも一つの保護接点電極（８６）であり、
前記少なくとも一つの第二の接点電極（８８）は少なくとも一つの中性電極（９０）又は少なくとも一つの正の直流電流電極であり、及び／又は、
前記少なくとも一つの第三の接点電極（９２）は少なくとも一つの相電極（９４）又は少なくとも一つの負の直流電流電極であることを特徴とする、請求項１に記載の車両接続装置。
【請求項３】
前記少なくとも一つの第一の接点電極（８４）、前記少なくとも一つの第二の接点電極（８８）及び前記少なくとも一つの第三の接点電極（９２）は、一緒に前記台座（７８）の接点側において、台座格子（ＧＳ）の格子点上に二次元のブラベ格子の形で配置されていることを特徴とする、請求項１又は２に記載の車両接続装置。
【請求項４】
前記接触エリア（８０）に、特に前記接触エリア（８０）の中心点に磁石エリア（１０２）が備えられており、
前記台座（７８）内に又は前記台座（７８）に接して接点磁石（１０４）が配置されており、
その際、前記接点磁石（１０４）は前記回転軸（Ｄ）の位置を特定することを特徴とする、請求項１から３のいずれか一項に記載の車両接続装置。
【請求項５】
前記少なくとも一つの第一の接点電極（８４）、前記少なくとも一つの第二の接点電極（８８）及び前記少なくとも一つの第三の接点電極（９２）の一つが、特に第一の接点電極（８４）が、前記磁石エリア（１０２）内に配置されており、かつ、
前記接点磁石（１０４）が前記磁石エリア（１０２）内に配置されている接点電極（８４、８８、９２）に割り当てられていることを特徴とする、請求項４に記載の車両接続装置。
【請求項６】
前記磁石エリア（１０２）は前記台座格子（ＧＳ）の格子点上にあり、
その際、すぐ隣にある格子点上に接点電極（８４、８８、９２）が、特に第三の接点電極（９２）及び第二の接点電極（８８）が交互に、備えられていることを特徴とする、請求項４又は５に記載の車両接続装置。
【請求項７】
前記磁石エリア（１０２）の隣の隣にある格子点の上に接点電極（８４、８８、９２）が、特に第一の接点電極（８４）が備えられていることを特徴とする、請求項６に記載の車両接続装置。
【請求項８】
三相交流を送電するために、少なくとも三つの第二の接点電極（８８）及び／又は少なくとも三つの第三の接点電極（９２）が備えられており、
その際、
少なくとも三つの第二の及び／又は第三の接点電極（８８、９２）のうちの少なくとも一つがＬ１相電極（１３２）であり、
少なくとも三つの第二の及び／又は第三の接点電極（８８、９２）のうちの少なくとも別の一つがＬ２相電極（１３４）であり、及び、
少なくとも三つの第二の及び／又は第三の接点電極（８８、９２）のうちの少なくともさらに別の一つがＬ３相電極（１３６）であることを特徴とする、請求項１から７のいずれか一項に記載の車両接続装置。
【請求項９】
前記車両接続装置（１４）は、閉じた接続箇所の接触点検及び割り当て点検のために、高周波信号のための信号源（１１２）及び／又は高周波信号のための測定装置（１１４）を有しており、
該測定装置は、前記少なくとも一つの第一の接点電極（８４）、前記少なくとも一つの第三の接点電極（９２）及び／又は前記少なくとも一つの第二の接点電極（８８）と電気的に接続されることを特徴とする、請求項１から８のいずれか一項に記載の車両接続装置。
【請求項１０】
前記整列アクチュエータ（６０）は電気モータ（６６）を含み、
該電気モータの出力軸は、トルク伝達のために前記車両接点ユニット（６４）と接続されていることを特徴とする、請求項１から９のいずれか一項に記載の車両接続装置。
【請求項１１】
床接点ユニット（１２）と車両接点ユニット（６４）とを自動的に導電接続するための車両バッテリ充電システム用の床接点ユニットであって、
板状の基体（１６）並びに第一の接点エリア（２０）、第二の接点エリア（２４）及び第三の接点エリア（２８）を備え、
該これらの接点エリアは、前記基体（１６）の目標面（１８）上の主格子（ＧＨ）内に二次元のブラベ格子の形で配置されており、
その際、前記第一の接点エリア（２０）は第一の下位格子（ＧＵ１）内に二次元のブラベ格子の形で、前記第二の接点エリア（２４）は第二の下位格子（ＧＵ２）内に二次元のブラベ格子の形で、及び前記第三の接点エリア（２８）は第三の下位格子（ＧＵ３）内に二次元のブラベ格子の形で配置されており、
その際、前記第一の下位格子（ＧＵ１）、前記第二の下位格子（ＧＵ２）及び前記第三の下位格子（ＧＵ３）は相互に入り組んでおり、
その際、前記主格子（ＧＨ）の基底ベクトル（ｈ１、ｈ２）の少なくとも一つの方向において、前記第一の接点エリア（２０）、前記第二の接点エリア（２４）及び前記第三の接点エリア（２８）は交互に表れる、床接点ユニット。
【請求項１２】
前記床接点ユニット（１２）は、前記床接点ユニット（１２）の床側の接続のために、床制御装置（３８）並びに第一の床接続部（４０．１）、第二の床接続部（４０．２）及び第三の床接続部（４０．３）をしており、
その際、前記第一の接点エリア（２０）は前記第一の床接続部（４０．１）と電気的に接続されており、及び、
その際、前記床制御装置（３８）は、
前記第二の接点エリア（２４）が、前記第一の床接続部（４０．１）、前記第二の床接続部（４０．２）及びアースの少なくとも二つの間で電気的な接続のために切り替えられ、及び／又は、
前記第三の接点エリア（２８）が、前記第一の床接続部（４０．１）、前記第三の床接続部（４０．３）及びアースの少なくとも二つの間で電気的な接続のために切り替えられるように、配設されていることを特徴とする、請求項１１に記載の床接点ユニット。
【請求項１３】
前記第一の接点エリア（２０）は保護接点エリア（２２）であり、
前記第二の接点エリア（２４）は中性接点エリア（２６）又は正の直流電流接点エリアであり、及び／又は、
前記第三の接点エリア（２８）は相接点エリア（３０）又は負の直流電流接点エリアであることを特徴とする、請求項１１又は１２に記載の床接点ユニット。
【請求項１４】
前記三つの下位格子（ＧＵ１、ＧＵ２、ＧＵ３）の少なくとも二つが同じ格子であり、及び／又は、
前記主格子（ＧＨ）及び前記三つの下位格子（ＧＵ１、ＧＵ２、ＧＵ３）の少なくとも二つが同じタイプであり、
特に、前記主格子（ＧＨ）、前記第一の下位格子（ＧＵ１）、前記第二の下位格子（ＧＵ２）及び／又は前記第三の下位格子（ＧＵ３）が六角格子であることを特徴とする、請求項１１から１３のいずれか一項に記載の床接点ユニット。
【請求項１５】
三相交流を送電するために、少なくとも三つの第二の接点エリア（２６）及び／又は少なくとも三つの第三の接点エリア（２８）が備えられており、
その際、前記少なくとも三つの第二の及び／又は第三の接点エリア（２６、２８）の少なくとも一つがＬ１接点エリア（１２６）であり、
前記別の少なくとも三つの第二の及び／又は第三の接点エリア（２６、２８）の少なくとも一つがＬ２接点エリア（１２８）であり、及び、
前記さらに別の少なくとも三つの第二の及び／又は第三の接点エリア（２６、２８）の少なくとも一つがＬ３接点エリア（１３０）であり、
その際、前記少なくとも一つのＬ１接点エリア（１２６）、前記少なくとも一つのＬ２接点エリア（１２８）及び前記少なくとも一つのＬ３接点エリア（１３０）は、前記第三の下位格子（ＧＵ３）の前記基底ベクトル（ｕ３．１、ｕ３．２）の少なくとも一つの方向に交互に表れることを特徴とする、請求項１１から１４のいずれか一項に記載の床接点ユニット。
【請求項１６】
前記第一の接点エリア（２０）、前記第二の接点エリア（２４）及び／又は前記第三の接点エリア（２８）において、前記基体（１６）内で又は前記基体（１６）に接して、磁性の、特に強磁性のエレメント（４６）が備えられていることを特徴とする、請求項１１から１５のいずれか一項に記載の床接点ユニット。
【請求項１７】
前記磁性エレメント（４６）は、それぞれ一つの電線（４４）を取り巻き、
該電線は、前記対応する接点エリア（２０、２４、２８）に電気的に接触することを特徴とする、請求項１６に記載の床接点ユニット。
【請求項１８】
前記床接点ユニット（１２）は、高周波信号用の信号源（１２２）及び／又は高周波信号（１２４）用の測定装置を有し、前記第一の接点エリア（２０）、前記第二の接点エリア（２４）及び／又は前記第三の接点エリア（２８）と電気的に接続されていることを特徴とする、請求項１１から１７のいずれか一項に記載の床接点ユニット。
【請求項１９】
請求項１から１０のいずれか一項に記載の車両接続装置（１４）、及び、請求項１１から１８のいずれか一項に記載の床接点ユニット（１２）を備えた、自動化された車両連結システム。
【請求項２０】
前記台座格子（ＧＳ）及び前記主格子（ＧＨ）は互いに実質的に一致しており、及び／又は、
前記整列アクチュエータ（６０）は、該整列アクチュエータが前記床接点ユニット（１２）に沿って前記台座（７８）を、特に前記接点電極（８４、８８、９２）と前記接触面との間に接触している状態で回転できるように、前記台座（７８）と接続されていることを特徴とする、請求項１９に記載の自動化された車両連結システム。
【請求項２１】
前記車両接続装置（１４）は、少なくとも請求項４に従って形成されており、及び、
前記床接点ユニット（１２）は、少なくとも請求項１６に従って形成されており、
その際、前記車両接点ユニット（６４）を前記床接点ユニット（１２）に固定するために、及び、前記回転軸（Ｄ）を形成するために、
前記車両接点ユニット（６４）の前記磁性エレメント（４６）は、前記接点磁石（１０４）と一緒に作用することを特徴とする、請求項１９又は２０に記載の自動化された車両連結システム。
【請求項２２】
車両接点ユニット（６４）を床接点ユニット（１２）に、特に請求項１９から２１のいずれか一項に記載の自動化された車両連結システム（１５）に自動的に導電接続するための方法であって、
以下の、
ａ）当該車両接点ユニット（６４）を、当該床接点ユニット（１２）への接触方向（ＲＫ）に向かって、当該車両接点ユニット（６４）及び当該床接点ユニット（１２）が接触するまで下へおろし、
ｂ）前記車両接点ユニット（６４）の少なくとも一つの特定の接点電極（８４、８８、９２）が、前記床接点ユニット（１２）の少なくとも一つの対応する特定の接点エリア（２０、２４、２８）と接触しているかどうかを点検し、及び、
ｃ）当該少なくとも一つの特定の車両側の接点電極（８４、８８、９２）と当該少なくとも一つの対応する特定の接点エリア（２０、２４、２８）との間に電気接触がまったくないか、又は、十分にない場合は、当該車両接点ユニット（６４）を回転軸（Ｄ）の周りに回転させる、ステップを備える方法。
【請求項２３】
回転中又は回転の終了後に、前記少なくとも一つの特定の接点電極（８４、８８、９２）が前記少なくとも一つの対応する接点エリア（２０、２４、２８）と接触しているかどうかが点検されることを特徴とする、請求項２２に記載の方法。
【請求項２４】
前記少なくとも一つの特定の接点電極（８４、８８、９２）は、前記少なくとも一つの第一の接点電極（８４）の一つ又は複数であり、及び、
前記少なくとも一つの特定の接点エリア（２０、２４、２８）は、前記少なくとも一つの第一の接点エリア（２０）の一つ又は複数であることを特徴とする、請求項２２又は２３に記載の方法。
【発明の詳細な説明】
【技術分野】
【０００１】
本発明は、車両バッテリ充電システム用の車両接続装置、車両バッテリ充電システム用の床接点ユニット、自動化された車両連結システム、並びに、車両接点ユニットを床接点ユニットに自動的に導電接続するための方法に関する。
【背景技術】
【０００２】
プラグインハイブリッド車や純粋な電気自動車のような電気駆動車両では、当該車両の当該バッテリは定期的に、最もよいのは走行するたびに、充電しなければならない。この場合、当該車両は車両連結システムを使用して電源、例えば現地の電力供給網と接続される。この場合、人間が手動で当該車両の適切なソケットに差し込まなければならない、タイプ２コネクタのようなコネクタが使用され得る。
【０００３】
例えば、地面に設置されている電源接続部の接点ユニットを備えた車両バッテリ充電システム用車両連結システムが公知である。地面に配置された床接点ユニットは、当該車両の当該アンダボディから下方へ動くことのできる、移動可能な車両接点ユニットを使用して、物理的に接触される。このようにして、現地の電力供給網と当該車両の電気的な接続が実現される。
【０００４】
この場合、当該車両接点ユニットに備えられている電極が床接点ユニットの接触面と物理的に接触することが必要である。そのために当該車両接点ユニットは、当該車両の停止時に当該床接点ユニットの上に位置決めされるだけでなく、当該車両接点ユニットの当該正しい電極が当該床接点ユニットの当該適切な接触面に収まっていなければならない。なぜなら当該電極又は接触面は異なった機能を持っているからである。
【０００５】
本発明の範囲では、電極とは、対応する接触面との電気的な接続を形成することを企図される電気接点であると理解される。
【０００６】
さらに、電気配列の、保護導体は「アース」、外部導体は「相導体」、中性線は「中性接点」又は類似のものを指す。
【発明の概要】
【発明が解決しようとする課題】
【０００７】
したがって、本発明の課題は、車両接続装置、床接点ユニット、自動化された車両連結システム、並びに、車両接点ユニットを床接点ユニットに自動的に導電接続するための方法を提供することであり、この方法では、車両接点ユニットと床接点ユニットとの間の物理的な電気的接続が自動的に及び誤接触を排除して可能である。
【課題を解決するための手段】
【０００８】
この課題は、車両接点ユニットを床接点ユニットに自動的に導電接続するための、車両バッテリ充電システムのための車両接続装置により解決される。
【０００９】
当該車両接続装置は、接触エリアを備える台座を有する当該車両接点ユニットを備え、該接触エリアには少なくとも一つの第一の接点電極、少なくとも一つの第二の接点電極及び少なくとも一つの第三の接点電極が備えられており、その際、当該車両接点ユニットは、当該少なくとも一つの第一の接点電極、当該少なくとも一つの第二の接点電極及び当該少なくとも一つの第三の接点電極を当該床接点ユニットと接触させるために、当該床接点ユニットに向かう接触方向へ移動可能である。加えて、当該車両接点ユニットは整列アクチュエータを備えており、該整列アクチュエータは、当該台座を実質的に当該接触方向に延びる回転軸の周りに回転させ得るように、当該台座と接続されている。
【００１０】
当該台座及びそれによって当該車両接点ユニットの当該接点電極が回転可能であることで、当該車両を特に高い精度で当該床接点ユニットの上に位置決めすることは不要である。当該車両接点ユニットの当該接点電極を下へおろした後で、それらと対応する当該床接点ユニットの当該接触面に接触しない場合は、この不適位置を、当該台座を、及びそれによって車両側の接点電極を回転させることで、修正され得る。当該台座及び当該車両側の接点電極は、この場合時計方向又は逆時計方向に、当該車両接点ユニットの全ての接点電極が当該床接点ユニットの対応する接触面と物理的に接触するまで回転される。これは、当該車両の位置決めを楽にするだけでなく、誤接触を確実に防止する。
【００１１】
当該回転軸は当該接触エリアを備えた当該台座の当該表面に対して垂直であってよい。当該台座の当該最大回転角度は、例えば少なくとも１２０°である。企図されている用途において、当該車両接点ユニットの当該接触エリアは、当該床接点ユニットの方を向いている。
【００１２】
当該車両接続装置は、人の手によることなく当該床接点ユニットを車両接点ユニットと正しく物理的に接触させるように配設されており、すなわちこの装置は、導電型の自動化された車両バッテリ充電システムの一部であり得る。ここでは、導電型の、すなわちガルバニックな接続が、当該接点電極と当該接触面との物理的な直接の接触により生み出される。これは、直接の接触がない誘導型の充電システムとは異なる。
【００１３】
例えば、当該少なくとも一つの第一の接点電極は少なくとも一つの保護接点電極であり、当該少なくとも一つの第二の接点電極は少なくとも一つの中性電極又は少なくとも一つの正の直流電流接点電極であり、及び／又は、当該少なくとも一つの第三の接点電極は少なくとも一つの相電極又は少なくとも一つの負の直流電流接点電極である。このようにして、当該車両接続装置は、交流電流又は直流電流を使用するために適している。
【００１４】
例えば、当該保護接点電極は車両電気回路の保護導体と接続されており、当該相電極は当該相導体又は当該車両電気回路の外部導体と接続されており、及び当該中性電極は当該車両電気回路の中性線と接続されている。特に、当該相電極及び当該中性電極の機能は、制御装置によって代替不可である。
【００１５】
当該接触エリアには、三つの第二の接点電極、三つの第三の接点電極及び三つ、六つ又は七つの第一の接点電極が備えられ得る。
【００１６】
好ましくは、当該少なくとも一つの第一の接点電極、当該少なくとも一つの第二の接点電極及び当該少なくとも一つの第三の接点電極は、一緒に当該台座の接点側において、台座格子の格子点上に二次元のブラベ格子の形で配置されている。当該台座格子は、六角格子であってよい。このようにして、当該接点電極の当該台座での特定の及び反復可能な配置が可能であり、それによって当該床接点ユニットとの接触が簡単になる。
【００１７】
当該台座の当該接点側は、企図される用途において当該床接点ユニットの方を向いた当該台座側である。
【００１８】
本発明の一実施形態では、当該接触エリアに、特に当該接触エリアの中心点に磁石エリアが備えられており、この磁石エリア内において、当該台座内に又は当該台座に接して接点磁石が、特に垂直に移動可能に、配置されており、その際、当該接点磁石は当該回転軸の位置を特定する。これにより、簡単かつ確実に特定の回転軸が定義される。当該回転軸は、この場合好ましくは当該磁石の当該中心点を通る。しかし当該磁石エリアは、接点電極を備えられるが、備えてはならない。当該接点磁石は例えば切り替え可能である。
【００１９】
当該台座で複数の磁石エリアの使用も考えられる。この使用では、当該台座又は当該床接点ユニット上の当該回転軸の位置を、当該接触エリアの複数箇所に定義する。
【００２０】
好ましくは、当該少なくとも一つの第一の接点電極、当該少なくとも一つの第二の接点電極及び当該少なくとも一つの第三の接点電極の一つが、特に第一の接点電極が、当該磁石エリアに配置されている。当該接点磁石が当該磁石エリアに配置されている当該接点電極に割り当てられていることで、当該磁石エリアがスペースを使うことがない。
【００２１】
一実施態様では、当該磁石エリアは当該台座格子の格子点上にあり、同心でそれに配置されている、すぐ隣にある格子点上に接点電極が、特に第三の接点電極及び第二の接点電極が交互に、備えられている。この場合、すぐ隣にある格子点とは最も近い隣であり、すなわち、その上に当該磁石エリアがある当該格子点との距離が最小の格子点である。これにより、当該接点電極と当該床接点ユニット上の当該適切な接触面との間の誤接触を、磁石エリアの周りを回転することだけでなくすことができる。
【００２２】
当該磁石エリアの隣の隣にある格子点の上に接点電極が、特に第一の接点電極が備えられていてよく、それによって使用可能な格子点の数が増大し得る。
【００２３】
三番目に隣接する格子点の上にはやはり接点電極が、特に交互に第二の接点電極と第三の接点電極が備えられていることも考えられる。しかしこの場合、同じ接点電極が隣り合うことはない。むしろ、当該床接点ユニットの当該下位格子と類似した、第一の、第二の及び第三の接点電極の下位格子が形成されてよい。
【００２４】
当該車両接続装置を使用して、当該車両を三相の三相交流電源と接続できるようにするため、三相交流を送電するために、少なくとも三つの第二の接点電極及び／又は少なくとも三つの第三の接点電極が備えられており、その際、少なくとも三つの第二の及び／又は第三の接点電極のうちの少なくとも一つがＬ１相電極であり、少なくとも三つの第二の及び／又は第三の接点電極のうちの少なくとも別の一つがＬ２相電極であり、及び、少なくとも三つの第二の及び／又は第三の接点電極のうちの少なくともさらに別の一つがＬ３相電極である。当該Ｌ１相電極、当該Ｌ２相電極及び当該Ｌ３相電極は、例えば当該車両電気回路の当該外部導体のそれぞれ一つと接続されている。
【００２５】
当該車両が例えば単相の交流電流用に設計されているために、当該車両が、当該床接点ユニットが提供している三相交流の単相しか使用できないことも考えられる。この場合、当該Ｌ１相電極、当該Ｌ２相電極又は当該Ｌ３相電極のみ、当該車両の当該電気回路と接続される。
【００２６】
当該残りの相電極は車両側には接続されない。
【００２７】
本発明の一実施形態では、当該車両接続装置は、閉じた接続箇所の接触点検及び割り当て点検のために、高周波信号のための信号源及び／又は高周波信号のための測定装置を有しており、該測定装置は、当該少なくとも一つの第一の接点電極、当該少なくとも一つの第三の接点電極及び／又は当該少なくとも一つの第二の接点電極と電気的に接続される。当該信号源を使用して、当該接続箇所について高周波信号が送られ、それによって充電過程中も、当該接続箇所が問題なく機能しているかどうか点検され得る。この点検は、高周波信号を使用することで、使用される充電電流に左右されないため充電過程中も、特に、充電電流を送電するためにも使用される当該同じ接点電極及び接点エリア）について実施できる、
【００２８】
本発明の範囲では、高周波信号とは、周波数が１０Ｈｚ以上、特に１ｋＨｚ以上、特に２００ｋＨｚ以上の信号であると理解される。
【００２９】
効率的かつ特に正確に当該台座を回転させるために、当該整列アクチュエータは電気モータを含み、該電気モータの出力軸は、トルク伝達のために当該車両接点ユニットと接続されている。
【００３０】
当該車両接続装置が、車両側端部と台座端部を備えた接触アクチュエータを有しており、その際当該車両接点ユニットは当該台座端部と接続されており、当該接触アクチュエータは接触アクチュエータが当該車両接点ユニットを接触方向に動かし得るように調整されていることも考えられる。当該接触アクチュエータは、ピストン・シリンダユニット又は蛇腹を含んでいてよく、その際当該蛇腹は例えばニューマチック式で駆動される。
【００３１】
例えば当該台座又は当該車両接点ユニットは、当該接触アクチュエータを介して当該整列アクチュエータと接続されている。しかし、当該車両接点ユニット又は当該台座が当該整列アクチュエータを介して当該接触アクチュエータと接続されていることも考えられる。
【００３２】
さらに、この課題は、床接点ユニットと車両接点ユニットとを自動的に導電接続するための車両バッテリ充電システム用の床接点ユニットによって解決され、この床接点ユニットは、板状の基体、並びに、当該基体の目標面上の主格子内に二次元のブラベ格子の形で配置されている第一の接点エリア、第二の接点エリア及び第三の接点エリアを備えている。
【００３３】
当該第一の接点エリアは第一の下位格子内に二次元のブラベ格子の形で、当該第二の接点エリアは第二の下位格子内に二次元のブラベ格子の形で、及び、当該第三の接点エリアは第三の下位格子内に二次元のブラベ格子の形で配置されており、その際、当該第一の下位格子、当該第二の下位格子及び当該第三の下位格子は相互に入り組んでいる。当該主格子の基底ベクトルの少なくとも一つの方向において、当該第一の接点エリア、当該第二の接点エリア及び当該第三の接点エリアは交互に表れる。
【００３４】
格子内の当該接点エリアの配置により、当該接触エリアが当該主格子の範囲内にある限り、当該床接点ユニットの当該目標面上に、当該車両接点ユニットの当該接触エリアを正確に位置決めすることはもはや不要である。当該主格子の対称を有効利用し、当該下位格子の入り組んだ配置によって、当該車両接点ユニットの当該接点電極と、当該適切な接点エリア又は当該床接点ユニットの接触面との正しい割り当ては、当該車両接点ユニットを回転させることで達成される。
【００３５】
当該格子点は、例えば当該接点エリアの重心である。接点エリアは、関連している範囲であり、その中に特に別の範囲が張り出してはいない。当該接点エリアは、当該車両接点ユニットのための当該接触面を形成する、それぞれ一つの、特に六角形の又は円形の伝導性のある接触面を備え得る。当該六角形は正六角形であってよい。
【００３６】
複数の接触面が一つの接点エリアに備えられていることも考えられる。
【００３７】
当該台座格子は実質的に当該床接点ユニットの当該主格子に等しい。例えば、当該床接点ユニットは、当該床接点ユニットの床側の接続のために、床制御装置並びに第一の床接続部、第二の床接続部及び第三の床接続部をしている。その際、当該第一の接点エリアは当該第一の床接続部と電気的に接続されており、及び、その際、当該床制御装置は、当該第二の接点エリアが、当該第一の床接続部、当該第二の床接続部及びアースの少なくとも二つの間で電気的な接続のために切り替えられ、及び／又は、当該第三の接点エリアが、当該第一の床接続部、当該第三の床接続部及びアースの少なくとも二つの間で電気的な接続のために切り替えられるように、配設されている。このようにして、当該床接点ユニットが車両接点ユニットと接続していない場合、より安全確実な作動モードが可能になる。
【００３８】
本発明の一実施形態では、当該第一の接点エリアは保護接点エリアであり、当該第二の接点エリアは中性接点エリア又は正の直流電流接点エリアであり、及び／又は、当該第三の接点エリアは相接点エリア又は負の直流電流接点エリアである。このようにして当該床接点ユニットの製造コストを低減できる。
【００３９】
例えば、当該保護接点エリアは現地の電力供給網の当該保護導体と電気的に接続しており、当該中性接点エリアは現地の電力供給網中性線と電気的に接続しており、及び当該相接点エリアは現地の電力供給網の当該相導体又は外部導体と電気的に接続している。
【００４０】
その際に、当該床接点ユニットは床制御装置を有しており、この床制御装置は、床接点ユニットが当該中性接点エリア及び／又は当該相接点エリアをアースし、及び／又は当該保護接点エリアと同じ電位であり得るよう調整されている。このために、当該床制御装置は当該中性接点エリア及び／又は当該相接点エリアは当該電源接続部の当該保護導体と接続され得る。電気回路内で送電するための、当該相接点エリア及び当該中性接点エリアの当該機能は、例えば当該床制御装置によって変更又は交換され得ない。
【００４１】
当該目標面は、当該接点エリアは例えば当該床接点ユニットの上面に備えられている。好ましくは、当該三つの下位格子の少なくとも二つが同じ格子であり、及び／又は、当該主格子及び当該三つの下位格子の少なくとも二つが同じタイプであり、特に、当該主格子、当該第一の下位格子、当該第二の下位格子及び／又は当該第三の下位格子が六角格子である。ここで同じ格子とは、これらが当該同じ基底ベクトルを持っているが、当該床接点ユニットの当該目標面上の異なった位置にあると理解される。例えば当該主格子の当該基底ベクトルは、当該下位格子の一つの当該対応する基底ベクトルの長さの三分の一である。ここで六角格子とは、当該六角格子の当該二次元のブラベ格子タイプであると理解され、この六角格子では当該二つの基底ベクトルが同じ量を持ち、互いに角度１２０°で囲んでいる。
【００４２】
このようにして、さまざまな格子の対称の度合いを特に高くすることができ、それによって当該車両接点ユニットを当該床接点ユニット上で正しく位置決めすることがさらに簡単になる。
【００４３】
三相の三相交流を当該車両の当該バッテリの充電に使用できるようにするため、三相交流を送電するために、少なくとも三つの第二の接点エリア及び／又は少なくとも三つの第三の接点エリアが備えられており、その際、当該少なくとも三つの第二の及び／又は第三の接点エリアの少なくとも一つがＬ１接点エリアであり、当該別の少なくとも三つの第二の及び／又は第三の接点エリアの少なくとも一つがＬ２接点エリアであり、及び、当該さらに別の少なくとも三つの第二の及び／又は第三の接点エリアの少なくとも一つがＬ３接点エリアである。その際、当該少なくとも一つのＬ１接点エリア、当該少なくとも一つのＬ２接点エリア及び当該少なくとも一つのＬ３接点エリアは、当該第三の下位格子の当該基底ベクトルの少なくとも一つの方向に交互に表れる。ここで当該Ｌ１接点エリア、当該Ｌ２接点エリア及び当該Ｌ３接点エリアは、この場合三相の現地の電力供給網のそれぞれ当該外部導体の一つと電気的に接続する。
【００４４】
当該車両が、当該床接点ユニットにより提供される三相交流の単相一つしか使用できない場合、当該Ｌ１接点エリア、当該Ｌ２接点エリア又は当該Ｌ３接点エリアが当該車両の充電に使用される。当該残りの接点エリアは、例えば当該保護導体と電気的に接続することで、無電位に切り替え可能である。
【００４５】
第一の接点エリア、当該第二の接点エリア及び／又は当該第三の接点エリアにおいて、当該主格子に対して当該車両接点ユニットの定義された位置決めを可能にするために、当該基体内で又は当該基体に接して、磁性の、特に強磁性のエレメントが備えられている。
【００４６】
当該磁性エレメントは、当該対応する接点エリアに電気的に接触する、それぞれ一つの電線を取り巻くことが可能である。当該磁性エレメントは、鋼製であってよい。例えば当該磁性エレメントは、それぞれ該当する電線が通っている鋼製シリンダである。このようにして、当該磁性エレメントは省スペースに仕上げられ得る。
【００４７】
当該磁性エレメントは、磁性であり、かつ高周波信号に対して電線のラインインピーダンスを高める材料からできていることが考えられる。
【００４８】
一実施形態では、当該床接点ユニットは高周波信号の信号源及び／又は高周波信号の測定装置を有しており、正しい接触を当該接続箇所全体で検出するために、この測定装置は、当該第一の接点エリア、当該第二の接点エリア及び／又は当該第三の接点エリアと電気的に接続されている。
【００４９】
この課題はさらに、本発明による車両接続装置、及び、本発明による床接点ユニットを備えた自動化された車両連結システムによって解決される。
【００５０】
常に確実に接触できるようにするため、その周りを当該整列アクチュエータが当該車両接点ユニットを回転させ得る最大回転角度は、少なくとも当該主格子の初期基底ベクトル間の最大角度と同じ大きさであり得る。
【００５１】
最適な結果を得るために、当該台座格子及び当該主格子は互いに実質的に一致しており、及び／又は、当該整列アクチュエータは、該整列アクチュエータが当該床接点ユニットに沿って当該台座を、特に当該接点電極と当該接触面との間に接触している状態で回転できるように、当該台座と接続されている。
【００５２】
本発明の一実施形態では、当該車両接点ユニットを当該床接点ユニットに固定するために、及び、当該回転軸を形成するために、当該車両接点ユニットの当該磁性エレメントは、当該接点磁石と一緒に作用する。このようにして、当該回転軸の当該主格子に対する位置が常に知られている。
【００５３】
加えて本課題は、車両接点ユニットを床接点ユニットに自動的に導電接続するための、以下の、
ａ）当該車両接点ユニットを、当該床接点ユニットへの接触方向に向かって、当該車両接点ユニット及び当該床接点ユニットが接触するまで下へおろし、
ｂ）当該車両接点ユニットの少なくとも一つの特定の接点電極が、当該床接点ユニットの少なくとも一つの対応する特定の接点エリアと接触しているかどうかを点検し、及び、
ｃ）当該少なくとも一つの特定の車両側の接点電極と当該少なくとも一つの対応する特定の接点エリアとの間に電気接触がまったくないか、又は、十分にない場合は、当該車両接点ユニットを回転軸の周りに回転させるステップを備えた方法により解決される。
【００５４】
当該特定の接点電極と当該特定の接点エリアはこの場合、それぞれ同じタイプであり、すなわち例えば、第一の接点電極と第一の接点エリア、保護接点電極と保護接点エリア、第二の接点電極と第二の接点エリア、中性電極と中性接点エリア、第三の接点電極と第三の接点エリア又は相電極と相接点エリアがそうである。当該対応する接点エリア又は接点電極が互いに接触しているかどうかの点検は、当該接続箇所を介して通信される高周波信号を使用して行い得る。
【００５５】
好ましくは、回転中又は回転の終了後に、当該少なくとも一つの特定の接点電極が当該少なくとも一つの対応する接点エリアと接触しているかどうかが点検され、それによって、迅速に回転結果のフィードバックを行い得る。例えば、失敗した場合に回転方向が変更される。
【００５６】
例えば、当該少なくとも一つの特定の接点電極は、当該少なくとも一つの第一の接点電極の一つ又は複数であり、及び、当該少なくとも一つの特定の接点エリアは、当該少なくとも一つの第一の接点エリアの一つ又は複数であり、それによって、充電のために作り出された接続が機能している保護導体を持っていることが、常に保証される。
【００５７】
特に当該外側にある第一の接点電極又は保護接点電極、すなわち当該磁石エリア内にある保護接点電極ではないものが、特定の接点電極である。
【００５８】
別法として又は追加的に、本課題は、床接点ユニットを自動的に導電接続するための、車両バッテリ充電システム用車両接点ユニットにより解決され、この車両接点ユニットは、互いに電線を介して電気的に接続され及び当該少なくとも一つの第一の車両部分電気回路を形成している複数の第一の接点電極と、少なくとも一つの第二の接点電極を備えている。当該車両接点ユニットは、加えて高周波信号用の測定装置及び／又は信号源を有している。
【００５９】
前記測定装置を使用して当該高周波信号用の信号源は、当該接続箇所について、すなわち当該車両接点ユニットの当該接点電極の一つと、当該床接点ユニットの対応する接点エリアとの接続について、高周波信号が送られ得る。接触及びその割り当てを点検するために、当該測定装置によって生じた高周波応答が測定され得る。この点検は、高周波信号を使用することで、使用される充電電流に左右されないため充電過程中も、特に、充電電流を送電するためにも使用される当該同じ接点電極及び接点エリアについて実施できる。
【００６０】
複数の接点電極が一つの床部分電気回路を形成する設計により、当該接触面と当該車両接点ユニットの当該接点電極の接触によって初めて形成される、部分電気回路も含まれていなければない。その際、当該第一の及び第二の接点電極も互いに電気的に接続されていてよい。
【００６１】
当該車両接点ユニットは、人の手によることなく当該床接点ユニットと正しく物理的に接触されるように配設されており、すなわちこの装置は、自動で導電型の車両バッテリ充電システムの一部であり得る。このために、導電型の、すなわちガルバニックな接続が、当該接点電極と接触面との直接の接触により生まれる。これは、直接の接触がない誘導型の充電システムとは異なる。
【００６２】
この場合、当該信号源及び／又は当該測定装置は当該第一の車両部分電気回路と接続されていてよい。さらに、当該信号源及び／又は当該測定装置は、当該車両と当該床接点ユニットとの間のデータ伝送のために使用されてよい。当然ながら、例えば信号を部分電気回路内に入れる及び／又は信号を部分電気回路から再び取り出すために、当該電線は少なくとも一つのオーム抵抗、コンデンサのような少なくとも一つのキャパシタンス及び／又はコイルのような少なくとも一つのインダクタンス、並びにこれら構成部品の任意の組み合わせを有していてよい。
【００６３】
例えば当該第一の接点電極と当該第二の接点電極が一つのパターンに、特に台座格子に、二次元のブラベ格子の形で配置されている。このようにして、当該接点電極の当該台座での特定の及び反復可能な配置が可能であり、それによって当該床接点ユニットとの接触が簡単になる。このパターンは接触面全体に広がる。
【００６４】
一実施態様では、互いに電気的に接続され及び第二の車両部分電気回路を形成している複数の第二の接点電極が備えられ、及び／又は当該車両接点ユニットが複数の第三の接点電極を有し、特にその際当該第三の接点電極は互いに電気的に接続し及び第三の車両部分電気回路を形成している。このようにして二つ又は三つの異なる種類の接点電極又は接続箇所が、接触又は正しい割り当てについて点検される。
【００６５】
好ましくは、当該第一の車両部分電気回路の当該ラインインピーダンスが、特に当該第二の車両部分電気回路及び／又は当該第三の車両部分電気回路の当該ラインインピーダンスよりも大きい。それによって高周波信号は第一の車両部分電気回路内で変化し、特に強く減衰される。このようにして、当該第一の車両部分電気回路が当該高周波信号を通した電気回路であるかどうかが検出される。
【００６６】
当該車両接点ユニットを当該床接点ユニットにロックするため、少なくとも一つの接点磁石が備えられていてよい。
【００６７】
本発明の一実施形態では、当該保護接点電極の及びそれによって当該保護導体の確実な割り当てを可能にするため、当該第一の接点電極は保護接点電極であり、及び当該第二の接点電極は中性電極又は相電極である。
【００６８】
当該第一の接点電極が当該車両の直流電源又は当該車両の当該バッテリの当該マイナス極と、及び当該第二の接点電極が当該車両の直流電源又は当該車両の当該バッテリの当該プラス極と接続されているか又はその逆であることも考えられる。
【００６９】
当該第二の接点電極は、中性電極のみであるか又は相電極のみであってよい。第三の接点電極が存在する場合、これは相電極であるか又は中性電極であり、その結果三つ全ての接点電極種類が存在する。このようにして、保護導体との電気接触が確実に作り出される。中性電極及び相電極の当該機能は、ここでは特に交換できない。
【００７０】
本発明の一実施形態では、当該第一の接点電極、当該第二の接点電極及び／又は当該第三の接点電極は対称軸の周りを回転対称に、縦方向の伸びに平行に、当該接点電極の少なくとも一つに配置されており、それによって当該接点電極が簡単に自動化されて正しい接点エリアに動かされ得る。
【００７１】
当該対称軸は例えば当該電極の一つ、当該磁石エリア及び／又は当該接触エリアの当該中心点を通って延びる。その際に、当該車両接点ユニット全体が回転対称であってよく、及び例えば非対称の仕様は有していない。
【００７２】
別法として又は追加的に、本課題は、床車両バッテリ充電システム用接点ユニットを当該床接点ユニットに自動的に導電接続するために、及び当該車両接点ユニットが、目標面を備え、この目標面が、それぞれ少なくとも一つの第一の接触面を備えた複数の第一の接点エリア及びそれぞれ少なくとも一つの第二の接触面を備えた少なくとも一つの第二の接点エリアを有しており、その際に当該第一の接触面は互いに電線を介して電気的に接続されており、少なくとも一つの第一の床部分電気回路を形成する。当該床接点ユニットは、高周波信号用の測定装置及び／又は信号源を有している。
【００７３】
当該高周波信号用の信号源及び当該測定装置を使用して、当該接続箇所について、すなわち当該車両接点ユニットの当該接点電極の一つと、当該床接点ユニットの対応する接点エリアとの接続について、高周波信号が送られ得る。接触及びその割り当てを点検するために、当該測定装置によって生じた高周波応答が測定され得る。この点検は、高周波信号を使用することで、使用される充電電流に左右されないため充電過程中も、特に、充電電流を送電するためにも使用される当該同じ接点電極及び接点エリアについて実施できる。
【００７４】
例えば当該部分電気回路も、当該接触面と当該接点電極の接触によって初めて形成される。その際、当該第一の及び第二の接点エリアは互いに電気的に接続されていてよい。
当該床接点ユニットは、人の手によることなく車両接点ユニットと正しく物理的に接触されるように配設されており、すなわちこの装置は、自動で導電型の車両バッテリ充電システムの一部であり得る。
【００７５】
この場合、当該信号源及び／又は当該測定装置は当該第一の床電気回路と接続されていてよい。さらに、当該信号源及び／又は当該測定装置は、当該車両と当該床接点ユニットとの間のデータ伝送のために使用されてよい。当然ながら、当該電線は少なくとも一つのオーム抵抗、コンデンサのような少なくとも一つのキャパシタンス及び／又はコイルのような少なくとも一つのインダクタンス、並びにこれら構成部品の任意の組み合わせを有していてよい。
【００７６】
例えば当該第一の接点エリアと当該第二の接点エリアが一つの主パターンに、特に主格子に、二次元のブラベ格子の形で配置されている。当該第一の接点エリアは、第一の下位パターン、特に二次元のブラベ格子の形の第一の下位格子であり、第二及びの接点エリアは、第二の下位パターン、特に二次元のブラベ格子の形の下位パターンであり、その際当該第一の下位パターンと当該第二の下位パターンは相互に入り込んで入り組んでいる。
【００７７】
パターン、特に格子内の当該接点エリアの配置により、当該接触エリアが当該主格子の範囲内にある限り、当該床接点ユニットの当該目標面上に、当該車両接点ユニットの当該接触エリアを正確に位置決めすることはもはや不要である。当該主格子の対称を有効利用し、当該下位格子の入り組んだ配置によって、当該車両接点ユニットの当該接点電極と、当該適切な接点エリア又は当該床接点ユニットの接触面との正しい割り当ては、当該車両接点ユニットを回転させることで達成される。
【００７８】
当該主パターン又は当該下位パターンは、目標面全体にわたって広がっている。
【００７９】
一実施態様では、複数の第二の接点エリアが備えられており、その際当該第二の接触面が互いに電気的に接続されており、及び第二の床部分電気回路を形成し、及び／又は当該床接点ユニットが複数の第三の接点エリアを有し、特にその際当該第三の接点エリアが互いに電気的に接続され及び第三の床部分電気回路を形成している。このようにして二つ又は三つの異なる種類の接点電極又は接続箇所が、接触又は正しい割り当てについて点検される。
【００８０】
好ましくは当該第一の床部分電気回路の当該ラインインピーダンスは異なっており、特に当該第二の床部分電気回路及び／又は当該第三の床部分電気回路のラインインピーダンスよりも大きい。それにより、高周波信号は第一の床部分電気回路内で変化し特に強く減衰される。このようにして、当該第一の床部分電気回路が当該高周波信号を通した電気回路であるかどうかが検出される。
【００８１】
当該第一の床部分電気回路の当該ラインインピーダンスを高めるために、当該第一の接触面の複数が抵抗エレメントを有しており、この抵抗エレメントは当該それぞれの接触面に割り当てられた電線の当該ラインインピーダンスを高める。
【００８２】
好ましくは当該抵抗エレメントがそれぞれ当該電線を取り巻き及び／又はフェライトから、特にフェライト有孔核からできている。特に当該第一の接触面の大部分は抵抗エレメントを有している。
【００８３】
本発明の一実施形態では、当該保護接点エリアの及びそれによって当該保護導体の確実な割り当てを可能にするため、当該第一の接点エリアは保護接点エリアであり、及び当該第二の接点エリアは中性接点エリア又は相接点エリアである。
【００８４】
当該第一の接点エリアは直流電源又は直流電流源の当該マイナス極と、及び当該第二の接点エリアは直流電源又は直流電流源のプラス極と接続されているか又はその逆であることも考えられる。
【００８５】
当該第二の接点エリアは、中性接点エリアのみであるか又は相接点エリアのみであってよい。第三の接点エリアが存在する場合、これは相接点エリアであるか又は中性接点エリアであり、その結果三つ全ての種類の接点エリアが存在する。このようにして、保護導体との電気接触が確実に作り出される。中性接点エリア及び相接点エリアの当該機能は、ここでは特に交換できない。
【００８６】
本発明の一実施形態では、当該第一の接点エリア、当該第二の接点エリア及び／又は当該第三の接点エリアは対称軸の周りを回転対称に、当該目標面に対して垂直に配置されており、それによって当該車両接点ユニットの当該接点電極が簡単に自動化されて正しい接点エリアに動かされ得る。
【００８７】
当該対称軸は例えば当該目標面及び／又は当該接触面の一つに対して垂直に延びる。その際に、当該床接点ユニット全体が回転対称であってよく、及び例えば非対称の仕様は有していない。
【００８８】
別法として又は追加的に、この課題は、車両接点ユニット及び床接点ユニットを備えた、床接点ユニット及び車両接点ユニットの導電接続のための自動の車両連結システムにより解決され、その際当該車両接点ユニット及び／又は当該床接点ユニットは高周波信号のための測定装置及び信号源を有している。
【００８９】
別法として又は追加的にこの課題は、自動化された車両連結システム内で接続箇所の接触及び割り当てを点検するための、以下の、
ａ）当該車両接点ユニットの当該接点電極と当該床接点ユニットの当該接触面との物理的な接触を作り出し、その結果少なくとも一つの電気回路が一方で当該第一の床部分電気回路から、他方で第一の車両部分電気回路から形成され、
ｂ）少なくとも一つの高周波信号を信号源によって生成し、
ｃ）当該少なくとも一つの高周波信号を当該少なくとも一つの形成された電気回路に通し、
ｄ）少なくとも一つの形成された電気回路の、当該少なくとも一つの高周波信号に対する高周波応答を、当該測定装置によって測定し、及び
ｅ）測定した高周波応答に基づいて、当該第一の接点電極が当該第一の接触面と接触しているかどうかを検出する、ステップを備えた方法により解決される。
【００９０】
その際例えば、当該高周波応答が、これも一つのエリアであってよい参照応答と一致している場合、接触及び割り当てが正しいことが推測される。三つの異なる接点電極又は接触面の場合、電気回路は例えば当該第一の部分電気回路、当該第二の部分電気回路及び当該第三の部分電気回路から構成されていてよく、それによって理論的に六つの異なる電気回路が可能である。
【００９１】
接続箇所の接触及び割り当ての点検は、当該少なくとも一つの電気回路が特徴的な高周波応答を案内するという根本概念に基づいており、その結果当該高周波応答の測定と高周波応答の分析は、どの電気回路が形成され及び測定されたのか、正確に言うと、測定された電気回路がどの二つの部分電気回路から構成されているか、に関する情報を与える。二つの部分電気回路を知ることにより、ことがどの接点電極がどの接点エリア又は接触面と接触しているのか推察でき、それによって当該接続箇所の割り当てが点検し得る。閉じた電気回路が形成されていない場合も、そのことが検出できる。
【００９２】
好ましくは、当該車両接点ユニットの複数の第二の接点電極が互いに電気的に接続し及び第二の車両部分電気回路を形成し、又は当該床接点ユニットの当該第二の接触面が互いに電気的に接続し及び第二の床部分電気回路を形成し、その際当該少なくとも一つの電気回路が、一方で当該第一の床部分電気回路又は当該第二の床部分電気回路から、及び他方で当該第一の車両部分電気回路及び／又は当該第二の車両部分電気回路から形成されている。測定された高周波応答に基づいて、当該第一の接点電極又は当該第二の接点電極が当該第一の接触面と又は当該第二の接触面と接触しているかどうかが検出される。このようにして、異なった部分電気回路から形成された異なった電気回路が検知される。
【００９３】
例えば当該高周波信号及び／又は当該高周波応答は当該車両接点ユニット内で生成又は測定され及び／又は当該高周波信号及び／又は当該高周波応答は当該床接点ユニット内で生成又は測定され、それによって当該車両接点ユニットも当該床接点ユニットも接触及び割り当てを点検する能力がある。
【００９４】
接続箇所の接触及び割り当ての点検の際に可能な限り高い信頼性を得るため、当該少なくとも一つの高周波信号及び／又は当該対応する高周波応答は当該車両部分電気回路の一つで、特に当該第一の車両部分電気回路で生成されるか又は測定され及び／又は当該少なくとも一つの高周波信号及び／又は当該対応する高周波応答は当該床部分電気回路の一つで、特に当該第一の床部分電気回路で生成又は測定される。
【００９５】
例えば高周波応答の減衰は電気回路内で決められ、及び特定の減衰に基づいて、当該第一の接点電極が当該第一の接触面と、当該第二の接触面と接触しているか、又はどの接触面とも接触していないことが確認される。
【００９６】
その際当該どの部分電気回路も別のラインインピーダンスを有している。特に当該保護接点エリアはより高いラインインピーダンスを有し、それによって減衰は当該相接点エリア及び当該中性接点エリアよりも高い。それに対応して、当該保護接点エリアを含む当該部分電気回路は、減衰がより大きい。
【００９７】
本発明の一実施形態では、当該第一の接点電極が当該第一の接触面と接触していることが確認された後で、データが当該信号源を使って当該測定装置に伝送され、それによって当該車両と当該その他の車両バッテリ充電システムとの間でデータ伝送が可能になる。当該データはこの場合当該同じケーブル又は当該同じ接続箇所を通って、充電電流と同様に送られ得る。
【００９８】
例えば、当該第一の接点電極が当該第一の接触面と接触した後で、連続的に又は規則的に間隔を空けて当該信号源及び当該測定装置によって、当該第一の接点電極と当該第一の接触面との間の接触が引き続き存在するかどうかが点検される。接触が中断すると、緊急機能が作動する。このようにして、予期せぬ状況、例えば意図せず当該車両がずれ動いた場合に反応する。例えば当該緊急機能は充電電流の遮断を含んでいる。
【００９９】
本発明のその他の特徴及び利点は、以下の説明及び参照される添付の図で開示される。
【図面の簡単な説明】
【０１００】
【図１】本発明による車両接続装置及び本発明による床接点ユニットを備えた、本発明による車両連結システムの模式図である。
【図２ａ】図１に従った、本発明による床接点ユニットの平面図である。
【図２ｂ】図１に従った、当該床接点ユニットの二つの隣接する接点電極の断面図である。
【図３】図１に従った、異なった接点エリア及びそのケーブル取回し又は当該床接点ユニットの配線の模式的配置図である。
【図４】図１に従った、当該車両接続装置の著しく単純化された部分断面図である。
【図５】図１に従った、当該車両接続装置の模式的下面図である。
【図６】図５に従った、当該車両接続装置の当該接点電極及びそのケーブル取回しの模式的配置図である。
【図７ａ】図１に従った当該車両接点ユニットと接触している、図１に従った当該床接点ユニットの、正しい連結位置の図である。
【図７ｂ】図７ａに従った連結によって形成された電気回路の一つである。
【図８ａ】図７ａに類似した状態であり、ここでは当該両接点ユニットが当該床接点ユニットに対してねじれている。
【図８ｂ】図８ａに従った配置で生じた電気回路である。
【図９ａ】図７ａに類似した状態であり、ここでは当該両接点ユニットが当該床接点ユニットに対してねじれている。
【図９ｂ】図９ａに従った配置で生じた電気回路である。
【図１０】本発明による車両連結システムの第二の実施形態の部分配線図である。
【図１１】本発明による車両接続装置の第三の実施形態の著しく単純化された部分断面図である。
【図１２】本発明による床接点ユニットの第四の実施形態のさまざまな接点エリアの模式的配置図である。
【図１３】本発明による車両接続装置の第四の実施形態の接点電極の模式的配置図である。
【図１４ａ】接触している中性接点エリア検出時のさまざまなステップにおける、本発明による車両連結システムの別の一実施形態の配線図の一部である。
【図１４ｂ】接触している中性接点エリア検出時のさまざまなステップにおける、本発明による車両連結システムの別の一実施形態の配線図の一部である。
【図１４ｃ】接触している中性接点エリア検出時のさまざまなステップにおける、本発明による車両連結システムの別の一実施形態の配線図の一部である。
【図１４ｄ】接触している中性接点エリア検出時のさまざまなステップにおける、本発明による車両連結システムの別の一実施形態の配線図の一部である。
【発明を実施するための形態】
【０１０１】
図１には車両１０、例えばバッテリ駆動式の車両又はプラグインハイブリッド車両が示されており、この車両が床接点ユニット１２の上又は上方に当該バッテリを充電するために停車されている。
【０１０２】
当該車両１０のアンダボディには、車両接続装置１４が固定されており、これは当該車両１０を当該床接点ユニット１２と電気的に接続できる。
【０１０３】
当該床接点ユニット１２及び当該車両接続装置１４は自動化された車両連結システム１５の一部であり、この自動化された車両連結システムもまた、車両バッテリ充電システムの一部である。
【０１０４】
図２ａには、当該床接点ユニット１２の平面図が示されている。
【０１０５】
当該床接点ユニット１２は板状の基体１６を有し、その基体の上面には目標面１８が備えられている。
【０１０６】
当該目標面１８内には、複数の異なった接点エリアが備えられている。
【０１０７】
示された実施形態には、例えば保護接点エリア２２である第一の接点エリア２０、例えば中性接点エリア２６である第二の接点エリア２４、及び例えば相接点エリア３０である第三の接点エリア２８が備えられ、その結果当該床接点ユニットは例えば当該車両１０を交流電流で充電するために配設されている。
【０１０８】
用語「中性接点エリア」は、「中性線接点エリア」の短縮形である。
【０１０９】
しかし、当該車両１０が直流電流によって充電されることも考えられる。このために、当該第二の接点エリア２４が正の直流電流接点エリア及び当該第三の接点エリア２８が負の直流電流接点エリアであるか又はその逆でもよい。
【０１１０】
当該接点エリア２０、２４、２８又は２２、２６、３０は、それぞれ少なくとも一つの接触面を備えている。これにより、当該第一の接点エリア２０のそれぞれが一つの第一の接触面を持ち、当該第二の接点エリア２４のそれぞれが一つの第二の接触面を持ち、及び、当該第三の接点エリア２８のそれぞれが一つの第三の接触面を持っている。
【０１１１】
当該接点エリア２０、２４、２８又は２２、２６、３０のそれぞれが、複数の接触面を有することも考えられる。
【０１１２】
当該接点エリア２０、２４、２８又は２２、２６、３０は、それぞれ六角形の、特に正六角形の又は円形の輪郭を備えた閉じた面である。必要に応じて六角形の角は湾曲部を持っていてよい。
【０１１３】
当該接点エリア２０、２４、２８又は２２、２６、３０及び／又は当該接触面は、同一面上にあってよく、例えば当該目標面１８がその同一面である。
【０１１４】
当該接点エリア２０、２４、２８又は２２、２６、３０は、主パターン内に配置されている。当該主パターンは、示された実施形態では二次元のブラベ格子であり、正確に言うと六角格子である。当該主パターンはしたがって、互いに１２０°の角度をなす同じ長さの二つの基底ベクトルｈ１、ｈ２を備えた主格子ＧＨである。
【０１１５】
当該主パターン又は当該主格子ＧＨは、当該目標面１６全体にわたって広がっている。
当該床接点ユニット１２は床制御装置３８を有し、これが少なくとも当該接点エリア２４、２８又は２６、３０のそれぞれと、特に全ての接点エリア２０、２４、２８又は２２、２６、３０と電気的に接続している。
【０１１６】
さらに、当該床接点ユニット１２は三つの床接続部４０、すなわち第一の床接続部４０．１、第二の床接続部４０．２及び第三の床接続部４０．３を持っており、これらは床接点ユニット１２のある現地の電力供給網（図示せず）の対応する接続部と接続されている。
【０１１７】
その際に、詳細は後述されるが、当該第一の接点エリア２０又は保護接点エリア２２は当該電力供給網の当該保護導体と当該第一の床接続部４０．１を介して接続され、当該第二の接点エリア２４又は中性接点エリア２６は、当該電力供給網の当該中性線と当該第二の床接続部４０．２を介して電気的に接続され、及び、当該第三の接点エリア２８又は相接点エリア３０は当該相導体又は当該電力供給網の外部導体と当該第三の床接続部４０．３を介して接続されている。
【０１１８】
直流電流充電の場合、正と負の直流電流接点エリアは当該第二の又は第三の床接続部４０．２、４０．３を介して直流電源の正極又は負極と接続されている。
【０１１９】
以下では、単純化は、保護接点エリア２２、中性接点エリア２６及び相接点エリア３０を抽象化するためだけであり、その際これに関して当該第一の接点エリア２０、当該第二の接点エリア２４及び当該第三の接点エリア２８も同様に理解される。
【０１２０】
図２ｂに示されたように、当該保護接点エリア２２（左に図示）は当該中性接点エリア２６及び当該相接点エリア３０（共通の例として右に図示）とは異なって形成されている。
【０１２１】
当該中性接点エリア２６及び当該相接点エリア３０は平らな接触板４２及び電線４４を備えている。当該接触板４２は、例えば六角形で、及び当該接触面を形成している。当該電線４４は、当該接触板４２から当該基体１６を通り、当該床制御装置３８を経て当該電源接続部４０へと延びる。
【０１２２】
当該接触板４２及び当該電線４４のほかに、大部分は、特に全ての当該保護接点エリア２２は、一つの磁性エレメント４６を有している。
【０１２３】
当該磁性エレメント４６は、示された実施例では強磁性エレメントであり、鋼製シリンダ形状で、当該電線４４を取り巻いている。つまり、当該電線４４は当該磁性エレメント４６を通って延びる。
【０１２４】
当該磁性エレメント４６と当該接触板４２との間に及び／又は当該接触板４２と反対側の磁性エレメント４６には、さらに抵抗エレメント４８が備えられ、同じく当該電線４４を取り巻いている。
【０１２５】
当該抵抗エレメント４８はインダクタンスとして作用し、高周波信号用の当該電線４４のラインインピーダンスを高める。これは例えば特にフェライト製である。
【０１２６】
当該磁性エレメント４６及び当該抵抗エレメント４８は、一体型の部材として、磁性がありかつラインインピーダンスを高める材料から作られていることも考えられる。
【０１２７】
当該磁性エレメント４６及び当該抵抗エレメント４８は、当該基体１６内に備えられている。
【０１２８】
隣接する接点エリア２２、２６、３０の当該接触板４２は、一つの絶縁セクション４９又は複数の絶縁セクション４９によって互いに分離されている。
【０１２９】
図３には、接点エリア２０、２４、２８又は２２、２６、３０からなる当該主格子ＧＨが部分的に示され、及び当該ケーブル取回しが模式的に暗示されている。単純化のために、当該接点エリア２０、２４、２８又は２２、２６、３０は円で示されている。
【０１３０】
図３に描かれた回路図は単に観察のためであり、大部分は当該床制御装置３８によって切り替えられる。
【０１３１】
当該保護接点エリア２２、当該中性接点エリア２６及び当該相接点エリア３０は、それぞれ専用の下位パターンで、ここではそれぞれ二次元のブラベ格子の形で、つまり下位格子が、配置されている。
【０１３２】
当該保護接点エリア２２は、第一の下位格子ＧＵ１内で当該基底ベクトルｕ１．１、ｕ１．２に配置されている。当該第一の下位格子ＧＵ１も六角格子であり、その結果当該二つの基底ベクトルｕ１．１及びｕ１．２は同じ量を持っており、互いに角度１２０°をなしている。
【０１３３】
同様に、当該中性接点エリア２６は第二の下位格子ＧＵ２内で当該基底ベクトルｕ２.1、ｕ２.２と共に配置されている。同じく同じ量を持っており、互いに角度１２０°をなしている。
【０１３４】
当該相接点エリア３０は六角形の第三の下位格子ＧＵ３の上にあり、角度１２０°をなす同じ長さの当該基底ベクトルｕ３．１、ｕ３．２を備えている。
【０１３５】
三つの下位格子ＧＵ１、ＧＵ２、ＧＵ３は相互に入り込んで入り組んで配置されており、その結果三つの異なった接点エリア２２、２６、３０は当該主格子ＧＨの当該基底ベクトルｈ１、ｈ２の方向に連続的に交互に表れる。
【０１３６】
言い換えると、任意に観察される接点エリア２２、２６、３０に対して最もすぐ隣にある接点エリア２６、２８、２２は観察される接点エリア２２、２６、３０そのものとは常に別のタイプである。
【０１３７】
当該接点エリア２２、２６、３０又は当該接触面は、それゆえに当該目標面１８に対して垂直な回転軸の周りに回転対称に配置されている。全ての床接点ユニット１２も、回転対称に仕上げられてよく、すなわち少なくとも目に見える、当該車両接続装置１４と接続するために必要な部分は回転対称に配置されている。
【０１３８】
当該保護接点エリア２２は、当該電線４４を使用して全体が互いに接続されているが、図３では一覧性をよくするために三つしか保護接点エリア２２は接続して示されていない。
【０１３９】
さらに、当該保護接点エリア２２は、当該電源接続部４０の一つを介して、当該電力供給網の当該保護導体と接続されており、ここではＰＥで示されている。
【０１４０】
当該床制御装置３８は、当該保護接点エリア２２のいくつかとのみ、当該第一の床接続部４０．１と電気的に接続できる状態であることが考えられる。
【０１４１】
全て又はいくつかの剛体保護接点エリア２２、つまり互いに電気的に接続された当該保護接点エリア２２は、従って一つの部分電気回路を形成し、それが以下では第一の床部分電気回路５０と呼ばれる。
【０１４２】
当該中性接点エリア２６も、当該電線４４を介して当該第二の床接続部４０．２及び当該電力供給網の当該中性線（Ｎ）と接続されている。
【０１４３】
接続は当該床制御装置３８を介して行われ、この床制御装は、当該中性接点エリア２６のいくつかとのみ選択的に当該第二の床接続部４０．２と電気的に接続できる。
【０１４４】
さらに、当該床制御装置３８は、特定の又は全ての中性接点エリア２６をアースし、当該中性線と接続し、相互に接続又は短絡し、又は当該保護導体の電位にすることができる、つまり当該第一の床接続部４０．１と接続できる。これは、ここでは、当該中性接点エリア２６をアースする第一のスイッチ５２によることが暗示されている。
【０１４５】
少なくとも全ての又はいくつかの当該中性接点エリア２６がアースされている場合、しかしまた、全ての又はいくつかの当該中性接点エリア２６が当該中性線と接続されている場合、互いに接続され又は短絡している場合、又は当該保護導体の電位がかかっている場合、これらが電気的に互いに接続され、及び以下で第二の床部分電気回路５４と呼ばれている第二の部分電気回路を形成できる。
【０１４６】
当該中性接点エリア２６と同様にして、当該相接点エリア３０も当該第三の床接続部４０．３と接触している。この第三の床接続部は、ここではＬで示されている、当該電力供給網の当該相導体と接続されている。
【０１４７】
この接続も、当該電線４４を介して当該床制御装置３８によって行われ、この床制御装置は、当該中性接点エリア３０のいくつかとのみ選択的に当該第三の床接続部４０．３と電気的に接続できる。
【０１４８】
当該床制御装置３８は、全ての又はいくつかの相接点エリア３０をアースし、当該外部導体と接続し、相互に接続又は短絡し、又は当該保護導体の電位にすることができる、つまり当該第一の床接続部４０．１と接続できる。これは、ここでは、当該相接点エリア３０をアースする第二のスイッチ５６によることが図３で暗示されている。
【０１４９】
少なくとも、いくつかの又は全ての相接点エリア３０がアースされている場合、又は当該保護導体電位と接続し、しかしまた、全ての又はいくつかの当該相接点エリア３０が当該外部導体と接続されている場合、又は互いに接続され又は短絡している場合、これらの相接点エリア３０が当該電線４４を介して、以下で第三の床部分電気回路５８と呼ばれている別の部分電気回路を形成できる。
【０１５０】
当該電気的接続又は当該接点エリア２０、２４、２８又は２２、２６、３０の相互の短絡は、好ましくは当該床接点ユニット１０自体の中に備えられている。
【０１５１】
当該保護接点エリア２２の当該電線４４を取り巻いている当該抵抗エレメント４８のために、当該第一の床部分電気回路５０のラインインピーダンスは当該第二の床部分電気回路５４及び当該第三の部分電気回路５８に比べて高周波信号のために高まっている。
【０１５２】
高周波信号とは、周波数が１０Ｈｚ以上、特に１ｋＨｚ以上、特に２００ｋＨｚ以上の信号であると理解される。
【０１５３】
当該車両接続装置１４は、考えられる一実施形態として、図１及び図４に例として示されている。
【０１５４】
当該車両接続装置１４は整列アクチュエータ６０、接触アクチュエータ６２及び車両接点ユニット６４を有している。
【０１５５】
当該整列アクチュエータ６０は、示された例では、電気モータ６６、取付部６８及び歯車７０を備えている。
【０１５６】
当該電気モータ６６は、当該取付部６８に非回転に固定され、その際当該取付部６８はやはり当該車両１０自体に、例えば当該ボディに固定されていてよい。
【０１５７】
当該電気モータ６６が当該車両１０に直接取り付けられていることも考えられる。この場合、取付部６８は不要である。
【０１５８】
当該歯車７０は、当該電気モータ６６の出力軸によって駆動され得る。
【０１５９】
当該接触アクチュエータ６２は、示された実施形態では、車両側端部及び台座端部を有する蛇腹７２を含んでいる。
【０１６０】
当該接触アクチュエータ６２は、軸受け７４を使用して当該蛇腹７２の車両側の端部で、取付部６８に回転可能に支承されている。さらに、当該蛇腹７２はその内側に、当該歯車７０とかみ合っている歯切り部７６を有している。当該歯車ペア７０及び７６の代わりに、例えばベルト駆動又はウォームギヤも可能である。
【０１６１】
当該蛇腹７２の当該台座端部には、当該車両接点ユニット６４が備えられている。正確に言うと、当該蛇腹７２の当該台座端部に、当該車両接点ユニット６４の台座７８が固定されている。
【０１６２】
示された、企図された据え付け位置では、当該台座７８は床に対して及び床接点ユニット１２に対して平行になっている。
【０１６３】
当該車両接点ユニット６４は垂直方向に、すなわち当該台座７８に対して及び当該床接点ユニット１２に対して垂直に、当該接触アクチュエータ６２によって動かされ得る。当該垂直方向は、従って接触方向ＲＫとも呼ばれる。整列アクチュエータ６０と接触アクチュエータ６２の組み合わせ又は機械的連結も同じく考えられる。
【０１６４】
当該車両接点ユニット６４を床接点ユニット１２の方向へ動かすため、当該蛇腹７２は圧縮空気源８２によって膨らまされる。
【０１６５】
当該蛇腹内のバネや綱などの等のリセット機構により（図示せず）、当該蛇腹７２は圧縮空気源８２が非作動の場合に縮められ得、それによって当該車両接点ユニット６４は上へ、すなわち当該接触方向ＲＫとは逆に動かされ得る。
【０１６６】
当該接触アクチュエータ６２が、当該車両接点ユニット１４接触方向ＲＫへの垂直運動を実施可能なピストン・シリンダユニットであることも考えられる。
【０１６７】
精確な位置合わせのために、当該整列アクチュエータ６０は当該車両接点ユニット６４又は当該台座７８を回転軸Ｄ（図４参照）の周りを回転させ得る。このために当該電気モータ６６が作動され、次いでトルクが当該歯車７０に生成される。当該トルクは当該歯切り部７６を介して当該蛇腹７２に伝達され、次いでこの蛇腹が当該取付部６８に対して回転する。
【０１６８】
当該台座７８が非回転に当該蛇腹７２と接続されているため、当該整列アクチュエータ６０によって当該台座７８及びそれによって当該車両接点ユニット６４が当該回転軸Ｄの周りを回転される。
【０１６９】
図５には、当該台座７８の下面図が示されている。
【０１７０】
当該接触アクチュエータ６２及び整列アクチュエータ６０とは反対側、すなわち当該接点側には、当該車両接点ユニット６４が接触エリア８０を有し、その中に複数の接点電極８４、８８、９２及び８６、９０、９４が、当該床接点ユニット１２の当該接触面と接触するために備えられている。
【０１７１】
当該接触エリア８０内には、示された実施例では保護接点電極８６である第一の接点電極８４、示された実施例では中性電極９０である第二の接点電極８８、及び示された実施例では相電極９４である第三の接点電極９２が備えられており、その結果当該車両接点ユニット６４は例えば当該車両１０を交流電流で充電するために調整されている。
【０１７２】
しかし、当該車両１０が直流電流によって充電されることも考えられる。そのために当該第二の接点電極８８は正の直流接点電極、及び、当該第三の接点電極９２は負の直流接点電極であってよい。
【０１７３】
当該中性電極９０と当該相電極９４又は正と負の直流接点電極の機能は、特に交換不可である。
【０１７４】
当該接点エリア２０、２４、２８又は２２、２６、３０と同様に、当該接点電極８４、８８、９２又は８６、９０、９４は、台座パターン内に、ここでもまた二次元のブラベ格子の形で、正確に言うと六角格子に配置されている。当該台座パターンはしたがって以下では台座格子ＧＳと呼ばれ、及び当該基底ベクトルｓ１、ｓ２は同じ長さを持ち、及び互いに角度１２０°をなしている。当該台座格子ＧＳは実質的に当該主格子ＧＨに等しい。
【０１７５】
さらに、当該台座格子ＧＳの当該格子点の一つが当該接触エリア８０の中心点にあってよい。
【０１７６】
当該接点電極８４、８８、９２又は８６、９０、９４自体は、当該台座７８から垂直に突き出した接触ピン９６（図４）から形成され、弾性をもたせて当該台座７８に支持されている。
【０１７７】
当該接触ピン９６は、電線９８を介して当該車両１０の電気回路（図示せず）と接続されている。
【０１７８】
当該第一の接点電極８４又は保護接点電極８６は、当該電気回路の当該保護接点導体と、当該第二の接点電極８８又は中性電極９０は当該電気回路の当該中性線と、及び、当該第三の接点電極９２又は相電極９４は当該車両１０の電気回路の当該相導体と接続されている。
【０１７９】
直流電流充電の場合、正及び負の直流接点電極は、当該車両１０のバッテリの正極又は負極と充電のために接続される。
【０１８０】
以下では、単純化のために、当該保護接点電極８６、当該中性電極９０及び当該相電極９４だけが示され、それによって当該第一の接点電極８４、当該第二の接点電極８８又は当該第三の接点電極９２も同様に指している。
【０１８１】
当該接続は、当該車両接続装置１４の制御装置１００によって行われてよく、この制御装置は当該個々の接点電極８６、９０、９４を切り替える。当該制御装置１００は、見やすくするために、図７ｂ、図８ｂ及び図９ｂだけにしか示されていない。図６では、当該制御装置１００は、制御装置１００の機能を説明する、スイッチで暗示されている。
【０１８２】
当該接触エリア８０はその中心点に磁石エリア１０２を有している。
【０１８３】
当該磁石エリア１０２内には、台座７８内に又は台座に接して接点磁石１０４が備えられ、この接点磁石は特に当該台座格子ＧＳの格子点の一つの上にある。
【０１８４】
当該接点磁石１０４は、例えばスイッチオン／オフ可能なソレノイドであってよい。当該接点磁石１０４はしかし、当該床接点ユニット１２の当該磁性エレメント４６に対して別の方法で、例えば適切な運動によって、切り替え可能であってもよい。
【０１８５】
接点電極は、示された実施例では当該磁石エリア１０２内にはない。
【０１８６】
当然ながら、当該磁石エリア１０２内に保護接点電極８６が備えられていてよく、その際に当該保護接点電極８６は当該接点磁石１０４に割り当てられている。しかしまた、別の接点電極が当該磁石エリア１０２内に備えられていることも考えられる。
【０１８７】
特に図６で分かるように、当該その他の接点電極８６、９０、９４は、当該格子点に関して、当該磁石エリア１０２内に配置されている。
【０１８８】
当該磁石エリア１０２の直近の隣にある、すなわち当該格子点上で磁石エリア１０２との間隔が最小の格子点又は接点電極９０、９４は、交互に配置された中性電極９０及び相電極９４である。
【０１８９】
当該磁石エリア１０２の隣の隣にある、すなわち磁石エリア１０２との間隔が二番目に小さい格子点又は接点電極８６は、保護接点電極８６である。
【０１９０】
当該保護接点電極８６は、磁石を有していないか、又は部分的に磁石を有していてよい。
【０１９１】
したがって、示された実施例には六つの保護接点電極８６、三つの中性電極９０及び三つの相電極９４が備えられている。保護接点電極８６は三つだけ、三つの中性電極９０及び三つの相電極９４であることも考えられる。
【０１９２】
したがって、当該接点電極８６、９０、９４は回転対称に対称軸の周りに接点側に垂直に、又は当該接点電極８６、９０、９４の縦方向の伸びに平行に配置されている。当該対称軸は例えば当該磁石エリア１０２及び／又は当該接触エリア８０の中心点を通って延びる。
【０１９３】
全ての車両接点ユニット６４も、回転対称に仕上げられてよく、すなわち少なくとも目に見える、当該床接点ユニット１２と接続するために必要な部分は回転対称に配置されている。
【０１９４】
図３と同様、図６でも模式的に当該接点電極８６、９０、９４のケーブル取回しが暗示されている。これは例えば当該車両接続装置１４の当該制御装置１００によって行われる。
【０１９５】
当該保護接点電極８６は、当該車両１０の電気回路の保護導体（ＰＥ）と、少なくとも一つの電線９８を介して接続されている。こうしてこれらは、以下では第一の車両部分電気回路１０６と呼ばれる部分電気回路を形成し得る。
【０１９６】
当該中性接点エリア２６と同じように、全ての又はいくつかの中性電極９０は当該車両接続装置１４の当該制御装置１００によって当該車両１０の電気回路の当該中性線（Ｎ）と電気的に接続するか、当該制御装置１００とは無関係に相互に電気的に接続又は短絡するか、車両側で別の電気回路又は車両１０の部品と接続又はアースしていないか、又は当該車両１０の電気回路の保護導体と接続されている。
【０１９７】
当該車両接続装置１４の当該制御装置１００は、当該中性電極９０の電気的接続を変更でき、特にいくつかの又は全ての中性電極９０が電気的に互いに接続又は短絡している。また当該中性電極９０も、当該制御装置１００とは無関係に、常時電気的に互いに接続されていてよい。少なくともアースされた状態で、しかしまた、全ての又はいくつかの当該中性電極９０が当該中性線と接続されている、互いに接続又は短絡されている、又は当該保護導体の電位がかかっている場合に、当該中性電極がその割り当てられた電線９８といっしょに、以下では第二の車両部分電気回路１０８と呼ばれる部分電気回路を形成し得る。
【０１９８】
例えば一本のケーブルは、当該第二の車両部分電気回路１０８を形成するために、当該台座７８内で当該中性電極９０を互いに接続又は短絡させ得る。当該台座７８内のこのようなケーブルは、例えば図１０及び図１４に示されている。
【０１９９】
同様に、当該相電極９４は電線９８を介して当該車両１０の電気回路の外部導体と接続され、互いに電気的に接続又は短絡し、車両側で別の電気回路又は当該車両１０の部分とは接続していないか又は当該保護導体電位と接続されている。この回路も、当該車両接続装置１４の当該制御装置１００によって変更され得る。当該互いに電気的に接続された相電極９４も、以下では第三の車両部分電気回路１１０と呼ばれる部分電気回路を形成してよい。
【０２００】
当該相電極９４に関して、当該第三の車両部分電気回路１１０を形成するために、恒久的な電気的接続が当該相電極９４間にあることも考えられる。これは当然、単相の交流電流充電又は直流電流充電の際のように、ただ一つの相だけが存在する場合にのみ可能である。
【０２０１】
この当該相電極９４の相互の接続は、同様に当該台座７８内のケーブルで行うことも可能である。
【０２０２】
この、当該対応する部分電気回路を提供する、当該接点電極８４、８８、９２又は８６、９０、９４相互の電気的接続又は短絡は、例えば当該車両接点ユニット６４自体、特に単に台座７８内に備えられている。
【０２０３】
さらに、当該車両接続装置１４は示された実施形態では、当該第一の車両部分電気回路１０６と接続されている、高周波信号用の信号源１１２と高周波信号用の測定装置１１４を有している。
【０２０４】
当該車両１０を当該現地の電力供給網と接続するため、すなわち当該車両接点ユニット６４と当該床接点ユニット１２との間に電気的接続を作り出すために、当該車両接続装置１４を備えた当該車両１０は、例えば図１に示されたように、当該床接点ユニット１２の上に停車されている。
【０２０５】
当該車両が停車された後、当該車両接点ユニット６４は当該接触アクチュエータ６２によって接触方向ＲＫに当該床接点ユニット１２に向かって動かされ、すなわち垂直に下ろされ、及び当該接点磁石１０４がオンに切り替えられる。
【０２０６】
示された実施例では、さらに、当該接触アクチュエータ６２の当該蛇腹７２が当該圧縮空気源８２によって膨らまされる。下ろしている間に、当該車両接点ユニット６４は徐々に当該床接点ユニット１２に近づき、その結果当該車両接点ユニット６４の中心にある当該接点磁石１０４も、当該床接点ユニット１２のそばに到達する。
【０２０７】
当該接点磁石１０４が、当該磁性エレメント４６に一つに近づくと、当該磁性エレメント４６と当該接点磁石１０４とが引き寄せ合う。
【０２０８】
これにより、非常に大きな成分によって当該車両接点ユニット６４に、水平方向に、すなわち当該接触方向ＲＫに垂直に力が生じ、当該磁石エリア１０２が、正確に言うと当該接点磁石１０４が、磁性エレメント４６の上に調整される。
【０２０９】
当該車両接点ユニット６４の別の観点から、図７ａ、８ａ及び９ａに例として示されたように、当該接点電極８６、９０、９４は当該接点エリア２２、２６、３０と物理的に接触し、その際に当該接点電極８４又は８６は他の接点電極８８、９２又は９０、９４よりも長くてよく、すなわち当該台座７８からさらに伸び、その結果当該接点電極８４又は８６は下ろす際にまず当該床接点ユニット１０と接触する。
【０２１０】
例えば当該接点電極８４又は８６の当該接触ピン９６は、他の接点電極８８、９２又は９０、９４のそれよりも長く仕上げられている。
【０２１１】
当該接点磁石１０４又は当該磁石エリア１０２は、当該保護接点エリア２２の当該磁性エレメント４６の中央の上方に配置されていることは明確である。
【０２１２】
ここで当該磁性エレメント４６と当該接点磁石１０４との間の距離が非常に小さいことによって、当該車両接点ユニット６４は水平方向に固定される。当該接点磁石１０４と当該磁性エレメント４６はここで、垂直に重なり合っており、及び当該回転軸Ｄを形成し、すなわち当該磁性エレメント４６の中心及び当該接点磁石１０４の中心を通る直線が当該回転軸Ｄを形成する（図４）。
【０２１３】
当該接点磁石１０４の当該磁性エレメント４６の一つに対する自動調整により、当該回転軸Ｄが常に保護接点エリア２２を通って延びることが確保される。したがって、当該回転軸Ｄの当該主格子ＧＨ内での位置は常に知られている。
【０２１４】
しかし、このことは、その他の接点電極８６、９０、９４がその他の接点エリア２２、２６、３０と一致することを意味しない。むしろ、当該車両接点ユニット６４が当該床接点ユニット１２に対してねじれているというような、異なった状況が考え得る。三つの異なった状況が、図７ａ、図８ａ、図９ａに示されている。
【０２１５】
図７ａは、所望の状況に相当し、当該主格子ＧＨが当該台座格子ＧＳと一致し、全ての下位格子ＧＵ１、ＧＵ２、ＧＵ３が当該台座７８の当該接点電極８６、９０、９４の配置と一致している。
【０２１６】
この位置では当該保護接点電極８６は当該保護接点エリア２２の当該接触面も接触し、当該中性電極９０は当該中性接点エリア２６の当該接触面と接触し、及び当該相電極９４は当該相接点エリア３０の当該接触面と接触し、及び相応する接続箇所を形成する。
【０２１７】
この状況では、当該接続箇所の割り当ては正しい、すなわち接点電極８６、９０、９４だけが、接点エリア２２、２６、３０の同じタイプと接触し、つまり例えば中性電極９０は保護接点エリア２２又は相接点エリア３０とは接触しない。
【０２１８】
図８ａ及び図９ａでは二つの状況が示されており、当該主格子ＧＨ及び当該台座格子ＧＳは重なり合っておらず、及びそれによって正しい接続箇所又は正しい接触を形成していない。
【０２１９】
図８ａの状況では、当該保護接点電極８６は当該中性接点エリア２６又は相接点エリア３０の接触面と接触する。
【０２２０】
図９ａでは、大部分の接点電極、特に当該保護接点電極８６は当該接点エリア２２、２６、３０の接触面に接触せず、当該絶縁セクション４９はさまざまな接点エリア２２、２６、３０の間で触れている。
【０２２１】
すでに言及したように、当該車両接点ユニット６４が完全に下げられた後、当該接点エリア２２、２６、３０の当該接点電極８６、９０、９４に対する正確な位置は不明である。
【０２２２】
それゆえに、当該接点エリア２２、２６、３０の当該接点電極８６、９０、９４に対する正しい割り当てが点検されなければならない。そのために、特定の接点電極が対応する、割り当てられた接点エリアに接触しているかどうかを検出しなければならない。
【０２２３】
その場合は、特定の接点エリアと特定の接点電極は当該保護接点エリア２２又は保護接点電極８６である。さらに、例えばこの場合、外側に、すなわち当該磁石エリア１０２ではないところにある、保護接点電極８６である。
【０２２４】
図７ｂ、図８ｂ及び図９ｂでは、模式的に電気回路１２０の配線図が示され、図７ａ、８ａ又は９ａの状況が示されている。
【０２２５】
表示された電気回路１２０は、右側にある当該第一の車両部分電気回路１０６及びさまざまな床部分電気回路５０、５４、５８の一つから構成されるか、又は完全には閉じていない（図９）。
【０２２６】
詳細では、当該第一の車両部分電気回路１０６はそれぞれ一つの共振回路１１８を有し、この共振回路には当該信号源１１２及び当該測定装置１１４が統合されている。
【０２２７】
当該共振回路１１８は、当該保護接点電極８６を介して、各状況に応じて、当該第一の床部分電気回路５０、当該第二の床部分電気回路５４又は当該第三の床部分電気回路５８によって拡張され、又は図９による状況の場合は開いている。
【０２２８】
しかし、あらかじめ決められ及び独立した床部分電気回路はなく、その結果当該第一の床部分電気回路５０、当該第二の床部分電気回路５４及び当該第三の床部分電気回路５８は相互につながっている部分電気回路であり、その際当該対応する床部分電気回路は、当該接点電極８６、９０、９４の接触により初めて形成されることも考えられる。
【０２２９】
言い換えれば、全ての接点エリア２２、２６、３０は互いに電気的に接続してよく、例えば、なぜならこれら全てが当該床制御装置３８によって当該保護導体電位に切り替えられたからである。ここで、三つの接点エリア２２、２６、３０が当該三つの、割り当てを点検するために使用された保護接点電極８６によって接触されると、これら接触された三つの接点エリア２２、２６、３０が使用された床部分電気回路を形成する。当該このようにして形成された床部分電気回路は、第一の床部分電気回路５０か、第二の床部分電気回路５４か、又は第三の床部分電気回路５８である。
【０２３０】
正しい割り当てを決めるために、当該信号源１１２によって高周波信号が共振回路１１８で生成される。
【０２３１】
当該高周波信号による励起に対して、当該第一の車両部分電気回路１０６及び必要に応じて当該床部分電気回路５０、５４、５８の一つからなる電気回路１２０全体を含む、拡張された共振回路１１８の高周波応答が生じる。
【０２３２】
当該測定装置１１４は、高周波応答を検出し、当該高周波応答を当該制御装置１００に伝送する。
【０２３３】
当該制御装置１００は当該高周波応答を一つ又は複数の参照応答と比較し、及びどの参照応答と最大で一致するのかを特定する。
【０２３４】
当該参照応答は、エリアであってもよい。当該参照応答は例えば、既知の電気回路で測定し、当該制御装置１００のメモリに保存されている、経験的に検出された高周波応答である。したがって各参照応答のために特定の電気回路が知られており、その結果当該参照応答に基づいて形成された電気回路１２０が閉じられ得る。
【０２３５】
例えば当該高周波応答を参照応答に割り当てるため、当該高周波信号の減衰のような特定の特性が使用される。
【０２３６】
図７に従った状況の場合、当該第一の床部分電気回路５０の当該電線４４は、当該抵抗エレメント４８のために高くなったラインインピーダンスを有している。この抵抗エレメントは図７ではインダクタンスとして当該第一の床部分電気回路５０に示されている。
【０２３７】
当該高周波応答はこれにより強く減衰され、当該第一の車両部分電気回路１０６と当該第一の床部分電気回路５０からなる電気回路１２０に相当する参照応答と実質的に一致する。それゆえに、当該制御装置１００は、当該第一の車両部分電気回路１０６と当該第一の床部分電気回路５０からなる電気回路１２０が実現したことを、つまり、当該保護接点電極８６が当該保護接点エリア２２又はその接触面と接続箇所を形成したということを、特定できる。この場合、割り当てが正しいことが推測される。
【０２３８】
正しい割り当てが確認されたので、当該床制御装置３８が充電過程を開始する。このために、当該床接点ユニット１２の当該床制御装置３８は当該アースを中止し当該中性接点エリア２６と、及び当該相接点エリア３０を当該中性線Ｎと、又は当該相導体Ｌを対応する電源接続部４０と接続する。その際接点電極９０又は９４と接触している中性接点エリア２６及び相接点エリア３０だけに通電される。
【０２３９】
同様に、当該車両接点ユニット６４の当該制御装置１００によって、当該中性電極９０及び当該相電極９４が当該車両１０の電気回路の当該中性線Ｎ及び当該相導体Ｐと接続される。
【０２４０】
これにより、当該車両１０の当該電気回路は、充電インフラストラクチャの現地の電力供給網に統合され、及び当該車両１０はこれで充電され得る。当該導電型の接続はこれにより自動に、すなわち人の手によることなく確立される。
【０２４１】
しかし充電中は、少なくとも一つの即時の充電中断を必要とする、予期せぬ状況が発生する可能性がある。例えば追突事故の場合、すなわち別の車両が当該充電している車両１０に衝突すると、当該車両１０がずれて当該車両接点ユニット６４が当該床接点ユニット１２から予定外に外れてしまう。
【０２４２】
このような状況を検知するため、当該接点電極８６、９０、９４と当該接触面との間の物理的な接触を連続的に又は定期的に間隔を開けて、当該信号源１１２及び当該測定装置１１４を使用して、上述のように点検する。
【０２４３】
接触が中断されたことが確認されると、少なくとも即時充電電流の遮断が含まれ得る、緊急機能が作動する。
【０２４４】
図８及び図９の状況では、下へおろしてすぐには充電を始められない。
【０２４５】
図８の状況の当該電気回路１２０は、一方において当該第一の車両部分電気回路１０６を、他方において当該第二の床部分電気回路５４又は当該第三の床部分電気回路５８を含んでいるが、これは図８ａで当該符号８６．１が示す保護接点電極８６又は当該当該符号８６．２が示す保護接点電極８６が、当該第一の車両部分電気回路１０６の一部であるかどうかによって決まる。
【０２４６】
当該第二の床部分電気回路５４又は第三の床部分電気回路５８が抵抗エレメント４８を当該電線４４に備えていたいために、当該第二の又は第三の床部分電気回路５４、５８の当該ラインインピーダンスは、当該第一の床部分電気回路５０に対して著しく低下される。
【０２４７】
このことは当然、当該電気回路１２０又は当該共振回路１１８に影響を及ぼし、その結果当該測定装置１１４が測定した、当該高周波信号を有する当該信号源１１２による励起に対する高周波応答は、違う結果になる。特に当該高周波信号は、ここではそれほど強く減衰されない。
【０２４８】
当該高周波応答と当該参照応答との比較に基づき、当該制御装置１００は、当該受け取った高周波応答が、当該第一の車両部分電気回路１０６及び当該第二の床部分電気回路５４又は当該第三の床部分電気回路５８からなる電気回路１２０に割り当てられている参照応答と同様であることを確認する。
【０２４９】
そこから当該制御装置１００が、当該保護接点電極８６が当該中性接点エリア２６又は当該相接点エリア３０の当該接触面と接続箇所を形成していることを特定する。この場合、当該制御装置１００は図８ａに従った状況が存在することを特定する。それゆえに当該制御装置１００は、正しい割り当てを達成するには当該車両接点ユニット６４が当該床接点ユニット１２に対して３０°の角度で時計回りに回さなければならないことを知る。
【０２５０】
次に当該制御装置１００は、当該整列アクチュエータ６０又は当該当該電気モータ６６を当該車両接点ユニット６４、正確に言うと当該台座７８が、３０°当該回転軸Ｄの周りを、すなわち当該磁石エリア１０２の周りを回るように制御する。このようにして、図７ａの状況が実現される。
【０２５１】
回転時、当該台座７８は当該床接点ユニット１２に沿って回され、特に当該台座７８を持ち上げることなしに及び当該接点電極８４、８８、９２又は８６、９０、９４を当該接触面から持ち上げられる。
【０２５２】
回転が終了するか又はまだ回転中に、高周波信号を当該第一の車両部分電気回路１０６に送ることで再度の点検が行われ得る。この測定は、前に図７ｂに記述された結果をもたらす。当該制御装置１００は、これで充電を開始できる。
【０２５３】
図９に従った状況では当該第一の車両部分電気回路１０６と別の床部分電気回路５０、５４、５８のうちの一つとの間の電気的接続は生じず、その結果、図７及び図８のような完全な電気回路１２０は形成されない。
【０２５４】
それにもかかわらず、共振回路１１８に送り込まれた高周波信号は高周波応答を生成し、これが当該測定装置１１４に検出され得る。
【０２５５】
この状況に対しても、参照応答が当該制御装置１００内に保存されており、その結果当該制御装置はこの状況も検知できる。この状況では、当該制御装置１００は当該車両接点ユニット６４に当該回転軸Ｄ周りの回転を促し、及び接続箇所が、その位置から同定可能である図８ａの状況か又は図７ａの状況に達すると、規則的な間隔を空けて、例えば特定の回転角度に従って、新たに接続箇所の割り当てを測定する。
【０２５６】
当然ながら、当該信号源１１２と当該測定装置１１４が当該床接点ユニット１２内に備えられていることも考えられる。この場合、当該高周波信号は当該床部分電気回路５０、５４、５８のうちの一つで生成され、当該測定装置１１４によって測定される。この測定原理はこのことによって変化しない。
【０２５７】
もちろん、当該車両接点ユニット６４内にも当該床接点ユニット１２内にもそれぞれ一つの信号源１１２及びそれぞれ一つの測定装置１１４を備えていてよく、それによって当該車両１０によっても当該床接点ユニット１２によっても正しい割り当て及び適切な接触が特定され得る。このことにより、当該車両連結システム１５の動作安全性が高められる。
【０２５８】
そのほかの図には、実質的に当該第一の実施形態に相当する、当該車両接続装置１４及び当該床接点ユニット１２の別の実施形態が、つまり当該車両連結システム１５の実施形態も示されている。したがって以下では、違いだけを取り上げ、機能の同じ部分には同じ符号をつけている。
【０２５９】
図１０には、車両連結システム１５の第二の実施形態の配線図の一部が示されている。この第二の実施形態は特に第一の実施形態と組み合わせるか又はそれを補足することができる。
【０２６０】
この実施形態では、当該床接点ユニット１２が信号源１２２及び少なくとも一つの測定装置１２４を有している。
【０２６１】
示された実施例では、三つの中性接点エリア２６と、それぞれ一つの測定装置１２４が示されている。例えば各中性接点エリア２６に一つの測定装置１２４が割り当てられている、つまりこれと電気的に接続している。
【０２６２】
当該信号源１２２及び当該測定装置１２４を使用して、どの中性接点エリア２６が中性電極９０と接触しているかが特定され得る。これは好ましくは、接続箇所への割り当てが正しいと確認された後に特定される。
【０２６３】
例えば、接触した中性接点エリア２６を特定するために、当該車両接点ユニット６４内で当該中性電極９０及び当該保護接点電極８６が当該車両接続装置１４の当該制御装置１００によって電気的に互いに接続される。
【０２６４】
当該中性接点電極９０は、図１０でわかるように、互いに恒久的に電気的に接続されている。
【０２６５】
当該信号源１２２は、その接触を特定されるべき一つ又は複数の当該中性接点エリア２６と、切り替え装置１４０、特にリレー又はマルチプレクサによって電気的に接続されていてよい。これにより、測定するべき中性接点エリア２６は、接触している場合、別の電気回路１４２の一部である。
【０２６６】
ここで、当該床接点ユニット１２の当該信号源１２２は高周波信号を生成し、当該中性接点エリア２６及び中性電極９０を介して当該車両接点ユニット６４に伝送される。
【０２６７】
当該測定するべき中性接点エリア２６が中性電極９０に接触すると、当該高周波信号は再び当該床接点ユニット１２へ伝送され、及び当該測定装置１２４の一つに検知される。
【０２６８】
当該測定するべき中性接点エリア２６が中性電極９０と接触していない場合は、当該共振回路は遮断され、高周波信号は当該測定装置１２４によって検知されない。
【０２６９】
当該床接点ユニット１２の当該床制御装置３８はそれゆえに、当該測定装置１２４の測定結果及び当該切り替え装置１４０の位置に基づいて、どの中性接点エリア２６が中性電極９０と接触しているかが特定される。
【０２７０】
図１４ａ、図１４ｂ、図１４ｃ及び図１４ｄは、接触している中性接点エリア２６を検出する方法と、当該車両接点ユニット６４の位置を検出する方法を、当該中性電極９０が台座７８内で互いに電気的に接続している場合において詳細に示している。
【０２７１】
図１４ａには、使用されている電気回路１４２の一部である、当該第二の床部分電気回路５４と当該第二の車両部分電気回路１０８だけが示されている。単純化のために、当該信号源１２２の一つの接点がアースされていることが示されている。なぜならこれが構造の機能に相当するからである。
【０２７２】
四つの中性接点エリア２６が示され、その中の三つが当該車両接点ユニット６４の当該中性電極９０と接触している。
【０２７３】
当該切り替え要素１４０は、スイッチで図示され、それぞれ一つの中性接点エリア２６が当該信号源１２２又はアースと接続し得る。
【０２７４】
始めに、それぞれただ一つの中性接点エリア２６が割り当てられたスイッチを使って当該信号源１２２と接続され、及び当該信号が当該電気回路１４２で当該測定装置１２４を使用して測定される。
【０２７５】
図１４ａで示された状況では、接触していない中性接点エリア２６が当該信号源１２２と接続された。そのためアースとの接続はなく、その結果当該信号源１２２が高周波信号を当該電気回路１４２で生成できない。どの測定装置１２４も高周波信号を検出できず、それによって当該信号源１２２と接続された当該中性接点エリア２６が接触していないことが確認される。次に、当該信号源１２２との接続が当該切り替え要素１４０によって遮断され、図１４ｂで分かるように、別の中性接点エリア２６が当該信号源１２２と接続される。
【０２７６】
図１４ｂに従った状況では、当該信号源１２２と接続された中性接点エリア２６は中性電極９０によって接触し、すなわち当該第二の車両部分電気回路１０８が当該第二の床部分電気回路５４と接続される。
【０２７７】
当該中性電極９０と当該別の中性電極９０とが当該第二の車両部分電気回路１０８により電気的に接続することで、当該切り替え要素１４０によってアースされている、別の接触した中性接点エリア２６に対する電気的接続も生じる。このようにして必要なアースが用意され、その結果当該信号源１２２によって高周波信号が当該電気回路１４２に生成され、当該対応する測定装置１２４によって検出される。それによって当該対応する中性接点エリア２６が接触していることが、確認される。
【０２７８】
次のステップでは、別の中性接点エリア２６が当該切り替え要素１４０によって当該信号源１２２と接続される（図１４ｃを参照）。この中性接点エリア２６は、それが当該接触している中性接点エリア２６の周囲にあるように選択される。この中性接点エリア２６も接触されると、当該高周波信号は当該属している測定装置１２４からも検出され、それによって接触が確認される。
【０２７９】
二つの中性接点エリア２６が接触していると検知されるとすぐに、当該中性接点エリア２６のどちらが当該欠けている第三の中性接点エリア２６であるのか、可能性は二つだけになる。
【０２８０】
次に、これら二つの中性接点エリア２６の一つが、当該切り替え要素１４０によって当該信号源１２２と接続される（図１４ｄ参照）。前述のように、当該割り当てられた測定装置１２４を使って、この中性接点エリア２６も接触しているかどうかが検出される。
【０２８１】
これが当該接触している中性接点エリア２６であると、当該台座７８又は当該車両接点ユニット６４の当該床接点ユニット１２に対する位置の検出が正しく終了され、これで位置が知られる。この位置から直接、当該接触している相接点エリア３０に連結され得る。
【０２８２】
同様に、当該相接点エリア３０のどれが当該相電極９４と接触しているかが検出可能である。
【０２８３】
この方法によっても、必要に応じて緊急機能を作動できるよう、当該接点電極８６、９０、９４と当該接触面との間の接触が、充電中に遮断されたかどうかが点検され得る。
【０２８４】
図１１は図４と似ており、当該車両接続装置１４の第三の実施例を示している。第一の実施形態との違いは、当該整列アクチュエータ６０の配置である。
【０２８５】
この第二の実施形態では、当該整列アクチュエータ６０は当該車両接点ユニット６４と当該接触アクチュエータ６２との間に備えられている。
【０２８６】
ここでは当該台座７８は当該歯切り部７６を有し、この歯切り部内に当該整列アクチュエータ６０の当該歯車７０がかみ合う。当該歯車７０は、当該電気モータ６６と連結され、この電気モータは当該接触アクチュエータ６２の当該台座端部に非回転に接続されている。
【０２８７】
当該台座７８及びそれにより当該車両接点ユニット６４全体が、図示していない軸受けを介して回転可能に当該接触アクチュエータ６２に固定されている。
【０２８８】
当該接触アクチュエータ６２は、その車両側の端部が当該取付部６８に非回転に取り付けられている。しかし接触アクチュエータが当該車両１０に直接固定されることも考えられる。
【０２８９】
図１２及び図１３は図３及び図６と同じように、当該接点エリア２２、２６、３０又は当該接点電極８６、９０、９４がその配置において対応する格子で示されている。
【０２９０】
当該第一の実施形態とは異なり、ただ一種類の相接点エリア３０又は相電極９４が備えられているのではなく、それぞれ三つの異なるものが、三相交流電流を送電するために備えられている。それに応じて、現地の電力供給網は三相交流電流網であり、及び当該床接点ユニット１２は三つの異なる電源接続部４０を、相導体又は外部導体のために有している。
【０２９１】
当該床接点ユニット１２はしたがって複数のＬ１接点エリア１２６、複数のＬ２接点エリア１２８及び複数のＬ３接点エリア１３０を有している。
【０２９２】
当該Ｌ１接点エリア１２６、当該Ｌ２接点エリア１２８及び当該Ｌ３接点エリア１３０は当該相接点エリア３０を形成している。
【０２９３】
当該Ｌ１、Ｌ２及びＬ３接点エリア１２６、１２８及び１３０は、したがって当該第三の下位格子ＧＵ３の当該格子点に備えられており、その際にこれらは、当該第三の下位格子ＧＵ３の少なくとも一つの基底ベクトルの方向に順々に交互に備えられている。
【０２９４】
言い換えると、当該第三の下位格子ＧＵ３には、当該Ｌ１接点エリア１２６、当該Ｌ２接点エリア１２８及びＬ３接点エリア１３０の同じ接点エリアからなる、直近の隣接同士のペアはない。例えば、Ｌ１接点エリア１２６の直近の隣は、それぞれ三つのＬ２接点エリア１２８及び三つのＬ３接点エリア１３０である。
【０２９５】
電気的な接続に関して、当該Ｌ１接点エリア１２６、当該Ｌ２接点エリア１２８及び当該Ｌ３接点エリア１３０は、現地の電力供給網の外部導体のそれぞれ一つと接続されている。しかし接触の点検のために、これらは全て一緒に当該第三の床部分電気回路５８を形成していてよい。
【０２９６】
同様にして、当該車両接点ユニット６４は、Ｌ１相電極１３２、Ｌ２相電極１３４及びＬ３相電極１３６を有しており、これらが一緒に当該相電極９４を形成している。
【０２９７】
図１２に示された例には、それぞれ一つのＬ１、Ｌ２及びＬ３相電極１３２、１３４及び１３６があり、それぞれ当該第一の実施形態に関して相電極９４の一つを形成している。
【０２９８】
当該Ｌ１、当該Ｌ２及び当該Ｌ３相電極１３２、１３４、１３６は、当該車両１０の電気回路の当該外部導体のそれぞれ一つと電気的に接続されるか、又は当該制御装置によって一緒に当該第三の車両部分電気回路１１０に接続されている。
【０２９９】
第三の下位格子ＧＵ３の当該Ｌ１、Ｌ２及びＬ３接点エリア１２６、１２８及び１３０の配列又は順序は、当該接触エリア８０の当該Ｌ１、Ｌ２及びＬ３相電極１３２、１３４及び１３６の順序と一致する。こうして、図７ａと同様に当該車両接点ユニット６４の当該床接点ユニット１２に対する調整が正しい場合に、当該Ｌ１、Ｌ２及びＬ３接点エリア１２６、１２８及び１３０は、当該Ｌ１、Ｌ２又はＬ３相電極１３２、１３４又は１３６と接触する。
【０３００】
当該床接点ユニット１２が、記述されたように、当該Ｌ１、Ｌ２及びＬ３接点エリア１２６、１２８及び１３０を有している場合でも、すなわち当該車両１０を三相交流又は三相交流電流で充電するために設計されている場合でも、単相交流電流専用に設計されている、つまり同じ相電極９４だけを備えている車両１０が、この床接点ユニット１２から充電されることが可能である。
【０３０１】
このために、当該車両接点ユニット６４は、上述のように当該床接点ユニット１０と接触される。しかし接続は当該相電極９４のただ一つと当該車両１０の電気回路の当該外部導体と電気的に接続され、及び充電のために使用される。
【０３０２】
残りの二つの相電極９４は、例えば車両側の接続されていない及び／又は充電に使用されない当該相電極１３２、１３４、１３６は、無電位に切り替えられるか、又は当該保護導体と接続される。
【０３０３】
当該Ｌ１、Ｌ２及びＬ３接点エリア１２６、１２８、１３０又は当該Ｌ１、Ｌ２又はＬ３相電極１３２、１３４、１３６は、当該中性接点エリア２６又は当該中性電極８８の代わりに備えられている配列も考えられ、その結果それぞれ二つのＬ１、Ｌ２及びＬ３相電極１３２、１３４、１３６が当該車両接点ユニット６４にある。これによって、各相のためのケーブル断面積が拡大され、その結果大きい充電電流が可能である。
【０３０４】
当該車両接点ユニット６４内には当該信号源１１２が、及び当該床接点ユニット１２内には測定装置１２４が備えられているか又はその逆であることも考えられる。このようにしても、正しい割り当てが上述のように特定され得る。
【０３０５】
さらに、この場合は、データが当該信号源１１２から当該測定装置１２４へ、当該高周波信号を使用して伝送され得る。それによって単一方向のデータフローが当該車両接点ユニット６４から当該床接点ユニット１２へ、又はその逆が可能である。
【０３０６】
当該車両接点ユニット６４も当該床接点ユニット１２も当該信号源１１２、１２２及び当該測定装置１１４、１２４を有している場合は、双方向のデータ交換が当該車両接点ユニット６４と当該床接点ユニット１２との間で、すなわち当該車両１０と当該残りの充電システムとの間で可能である。
【０３０７】
データ伝送のために、送電のためと同じ接続箇所が使用され得、及びデータ伝送は充電過程中にも可能である。なぜなら高周波信号は充電電流に変調可能だからである。
当然ながら、個々の実施形態の特徴は、任意に互いに組み合わせることが可能である。
【図１】
2020533936.tif 000003
【図２ａ）】
2020533936.tif 000004
【図２ｂ）】
2020533936.tif 000005
【図３】
2020533936.tif 000006
【図４】
2020533936.tif 000007
【図５】
2020533936.tif 000008
【図６】
2020533936.tif 000009
【図７ａ）】
2020533936.tif 000010
【図７ｂ）】
2020533936.tif 000011
【図８ａ）】
2020533936.tif 000012
【図８ｂ）】
2020533936.tif 000013
【図９ａ）】
2020533936.tif 000014
【図９ｂ）】
2020533936.tif 000015
【図１０】
2020533936.tif 000016
【図１１】
2020533936.tif 000017
【図１２】
2020533936.tif 000018
【図１３】
2020533936.tif 000019
【図１４ａ）】
2020533936.tif 000020
【図１４ｂ）】
2020533936.tif 000021
【図１４ｃ）】
2020533936.tif 000022
【図１４ｄ）】
2020533936.tif 000023
【国際調査報告】
2020533936.tif 000024
2020533936.tif 000025
2020533936.tif 000026
2020533936.tif 000027
2020533936.tif 000028
2020533936.tif 000029
2020533936.tif 000030
2020533936.tif 000031